(57)【要約】      （修正有）【課題】レンズの幾何学構造および光学品質を維持するようにレンズを支持するメガネを提供する。【解決手段】着用者の頭で担持され、レンズの周縁のまわりに部分的に延びるフレーム部分と、フレームに対して保持ポジションと開ポジションとの間を枢動できるように、フレームに枢動可能に取り付けられたサポート部分であって、レンズの周縁の少なくとも一部分を捕捉して、レンズを着用者の視野の経路に取り付けるために、保持ポジションに移動可能なサポート部分と、係合ポジションと離脱ポジションとの間で移動可能な固定部分であって、係合ポジションにおいて、サポート部分をフレームに対して固定するために、サポート部分を保持ポジションに固定し、係合ポジションにある場合に、着用者とサポート部分およびフレーム部分の少なくとも一方との間に配置され、使用時に、着用者の鼻と接触するように構成された外側面を画定する固定部分と、を含む。【選択図】図１３
2015079275.tif 000002
【特許請求の範囲】
【請求項１】
レンズの幾何学構造および光学品質を維持するようにレンズを支持するメガネであって、
着用者の頭で担持されるように構成されたフレーム部分であって、前記レンズの周縁のまわりに少なくとも部分的に延びるフレーム部分と、
前記フレームに対して保持ポジションと開ポジションとの間を枢動できるように、前記フレームに枢動可能に取り付けられたサポート部分であって、前記レンズの前記周縁の少なくとも一部分を捕捉して、前記レンズを前記着用者の視野の経路に取り付けるために、前記保持ポジションに移動可能なサポート部分と、
係合ポジションと離脱ポジションとの間で移動可能な固定部分であって、係合ポジションにおいて、前記サポート部分を前記フレームに対して固定するために、前記サポート部分を前記保持ポジションに固定し、前記係合ポジションにある場合に、前記着用者と前記サポート部分および前記フレーム部分の少なくとも一方との間に配置され、使用時に、前記着用者の鼻と接触するように構成された外側面を画定する固定部分と、
を含むメガネ。
【請求項２】
請求項１に記載のメガネであって、
前記サポート部分は少なくとも１つの端部を含み、前記サポート部分は、前記サポート部分の前記端部で前記フレーム部分に枢動可能に取り付けられる、メガネ。
【請求項３】
請求項２に記載のメガネであって、
前記サポート部分は、第１の自由端で留め具を介して前記フレーム部分に枢動可能に取り付けられる、メガネ。
【請求項４】
請求項１〜３のいずれか１項に記載のメガネであって、
前記固定部分は、前記メガネを支持するために、前記着用者の前記鼻に載るように構成されたノーズピース部品であり、前記ノーズピース部品は、前記離脱ポジションから前記係合ポジションに移動するときに枢動する、メガネ。
【請求項５】
請求項４に記載のメガネであって、
前記ノーズピース部品は前後方向に移動する、メガネ。
【請求項６】
請求項４に記載のメガネであって、
前記ノーズピース部品は、前記着用者が着用した場合に、前記離脱ポジションまで枢動することができない、メガネ。
【請求項７】
請求項４に記載のメガネであって、
前記係合ポジションにおいて、前記ノーズピース部品は、前記サポート部分および前記フレーム部分に連結され、前記サポート部分、前記フレーム部分、および前記ノーズピース部品は別々の部品である、メガネ。
【請求項８】
請求項１〜７のいずれか１項に記載のメガネであって、
前記固定部分は、前記フレーム部分の中央部分に連結される、メガネ。
【請求項９】
請求項１〜７のいずれか１項に記載のメガネであって、
前記レンズには、着用者の視野の経路に入れ込まれるように構成されたユニタリレンズが含まれる、メガネ。
【請求項１０】
請求項１〜７のいずれか１項に記載のメガネであって、
前記レンズには、着用者の右目の視野および左目の視野の経路にそれぞれ入れ込まれるように構成された第１のレンズおよび第２のレンズが含まれる、メガネ。
【請求項１１】
レンズの成形時の幾何学構造を維持するためのメガネフレームであって、
独立した部品であるフレーム部分およびサポート部分を含み、前記サポート部分は、少なくとも第１のジョイントで前記フレーム部分に枢動可能に取り付けられ、前記サポート部分および前記フレーム部分は、前記レンズを少なくとも部分的に受け入れるように構成されたレンズ取り付け領域を形成し、前記フレームはノーズピース部品をさらに含み、前記ノーズピース部品は、前記レンズが前記レンズ取り付け領域に出入りするのを可能にする離脱ポジションと、前記レンズ取り付け領域において、前記ノーズピース部品、前記フレーム部分、および前記サポート部分が、全体として前記レンズを前記フレームに対して固定する係合ポジションとを有し、前記ノーズピース部品は、使用時に着用者の鼻に載るように構成され、前記ノーズピース部品は、前記離脱ポジションから前記係合ポジションに移動するときに枢動する、メガネフレーム。
【請求項１２】
請求項１１に記載のメガネフレームであって、
前記ノーズピース部品は、前記フレーム部分を支えとして枢動し、前記係合ポジションと前記離脱ポジションとの間を前後方向に移動する、メガネフレーム。
【請求項１３】
請求項１１に記載のメガネフレームであって、
前記ノーズピース部品は、前記着用者が着用した場合に、前記離脱ポジションまで枢動することができない、メガネフレーム。
【請求項１４】
請求項１１に記載のメガネフレームであって、
前記サポート部分は、開ポジションにおいて、前記レンズ取り付け領域に進入するために、前記フレーム部分に対して移動可能であり、閉ポジションにおいて、前記レンズを前記レンズ取り付け領域内に保持するために、前記フレーム部分に対して移動可能である、メガネフレーム。
【請求項１５】
請求項１１に記載のメガネフレームであって、
前記レンズには、着用者の視野の経路に入れ込まれるように構成されたユニタリレンズが含まれる、メガネフレーム。
【請求項１６】
請求項１１に記載のメガネフレームであって、
前記レンズには、着用者の右目の視野および左目の視野の経路にそれぞれ入れ込まれるように構成された第１のレンズおよび第２のレンズが含まれる、メガネフレーム。
【請求項１７】
請求項１１に記載のメガネフレームであって、
前記係合ポジションにおいて、前記ノーズピース部品は、前記サポート部分および前記フレーム部分に連結され、前記サポート部分、前記フレーム部分、および前記ノーズピース部品は別々の構成要素である、メガネフレーム。
【請求項１８】
請求項１１に記載のメガネフレームであって、
前記第１のジョイントは、前記フレーム部分の横端部に配置される、メガネフレーム。
【請求項１９】
請求項１８に記載のメガネフレームであって、
前記第１のジョイントには、ヒンジ、ボルト、およびねじのうちの少なくとも１つが含まれ、前記サポート部分は、前記第１のジョイントのまわりを枢動するように構成される、メガネフレーム。
【請求項２０】
請求項１１に記載のメガネフレームであって、
前記サポート部分および前記フレーム部分は、レンズを受けるための溝を提供する、メガネフレーム。
【発明の詳細な説明】
【技術分野】
【０００１】
［関連出願への相互参照］  本出願は、参照により全体を本明細書に組み込まれる２００８年７月３日出願の米国仮出願第６１／０７８，３２６号の権利を主張する。
【０００２】
本発明は、総じて、アイウェアの取り付けシステムに関する。より詳細には、本発明は、成形時又は取り付け前の元のレンズ幾何学構造を維持する方式で光学レンズを取り付けることによって、その幾何学構造及び優れた光学性能を維持するための方法と装置とに関する。
【背景技術】
【０００３】
アイウェアの分野では、近年、種々の改善がなされてきた。例えば、ユニタリ円柱レンズは、Ｂｌａｄｅｓ（登録商標）（Ｏａｋｌｅｙ，  Ｉｎｃ．）アイウェアによって世に広められ、これは、なかでも特に、Ｊａｎｎａｒｄに対して発行された米国特許第４，８５９，０４８号の技術を取り入れている。全体を通して一定の水平半径を有するユニタリトロイダルレンズは、やはりＯａｋｌｅｙ，  Ｉｎｃ．によって製造されるＭ  Ｆｒａｍｅ（登録商標）シリーズの様々な製品を通じて導入された。例えば、Ｊａｎｎａｒｄへの米国特許第４，８６７，５５０号を参照せよ。アイウェアシステムにおけるその他の種々の改善点は、いずれもＪａｎｎａｒｄ，  ｅｔ  ａｌ．への特許である米国特許第４，６７４，８５１号、第４，７３０，９１５号、第４，８２４，２３３号、第４，８６７，５５０号、第５，０５４，９０３号、第５，１３７，３４２号、第５，２０８，６１４号、及び第５，２４９，００１号において実証されている。これらの及びその他の改善点は、アイウェアの光学性能における有意義な進歩を表わしている。
【０００４】
とりわけハイスピードのアクションスポーツでの使用を意図される高品質のアイウェアの分野における継続的な目的の１つは、アイウェアによって導入される歪みを最小限に抑えることである。歪みは、レンズの光学部分を構成する材料の品質の悪さやレンズのための成形技術及び／又は研磨技術の水準の低さなどの様々な影響によって導入され得る。また、光学的歪みは、レンズのリム（ｏｒｂｉｔａｌ、軌道）の形状の変化又は法線視線に対するレンズの方向性の悪さのように、レンズとフレームとの相互作用に起因して生じる可能性がある。
【０００５】
ポリマフレーム又はメタルワイヤフレームを使用するメガネシステムは、衝撃、記憶に誘発される力又はその他の外力、アイウェアの組み立てプロセスに起因する力、並びに太陽光及び熱に対する暴露などの、様々な環境的要因に起因する曲げや屈曲の影響を受けやすい。レンズの屈曲、又は一方のレンズのもう一方のレンズ若しくはテンプル（ｅａｒ  ｓｔｅｍ、柄、蔓）に対する無制御な方向性の逸脱は、レンズが矯正（度付き）レンズであれ非矯正レンズであれ、メガネの光学特性を望ましくない形で変化させる可能性がある。
【０００６】
また、多くのアイウェアシステムは、締まり嵌めを使用してレンズを保持することによって組み立てられる。これは、ユニタリレンズのアイウェアでも起こる可能性があるが、一般には、デュアルレンズのアイウェアが、締まり嵌めを使用して組み立てられる傾向がある。具体的には、デュアルレンズのアイウェアは、メガネのレンズを支える１対のリムを有するフレームを含む。フレームは、通常、単一の構成要素として形成され、図１に示されるように、使用者にメガネを着用可能にする左右のテンプルにヒンジ結合される。図１は、左右のそれぞれのレンズ１６を支えるように構成される左右のリム１４を有するフレーム１２を含む典型的な先行技術のメガネ１０を例示している。
【０００７】
図２のメガネ１０の正面図に示されるように、左右のリム１４は、左右のそれぞれのレンズ１６を概して連続的に取り囲んでいる。レンズ１６をフレーム１２のリム１４に収容するために、リム１４は、通常、図３に示されるように、リム１４の周内を走る溝１８を含む。溝１８は、概してレンズ１６の周幾何学構造に一致するように形成される。メガネの組み立ての際に、レンズ１６は、リム１４の溝１８に押し込まれる。
【０００８】
このようなメガネの設計は、総じて、単純で且つ迅速な製品の製造を提供する。実際、このような設計は、最終製品を作成するために組み立てにおいて必要とされる工程又は構成要素が比較的少ないという理由でも有利である。その結果、上述の設計及び製造は、製造の単純さ及び容易さゆえに、アイウェア業界において長年にわたって用いられてきた。
【発明の概要】
【０００９】
先行技術のアイウェア設計の長期にわたる利用にもかかわらず、本発明の少なくとも１つの実施形態の態様は、先行技術のメガネのレンズが、少なくともメガネの設計及びこれらのメガネの製造方法ゆえに、取り付けの際に光学的品質の低下を生じる、という認識を含む。特に、本明細書で開示される実施形態の少なくとも１つにしたがうのは、先行技術のメガネのレンズの幾何学構造が、メガネに取り付けられたときにその成形時又は取り付け前の元の幾何学構造から歪み又は変形し、ゆえに１つ又は２つ以上の光学収差をレンズ内で発生させてレンズの光学性能を低下させる、という認識である。先行技術のこの及びその他の問題を解決するために、本明細書で開示される種々の実施形態は、レンズが変形されずゆえに優れた光学的品質を維持するようにレンズをメガネに取り付けることを可能にする固有な解決策を提供する。
【００１０】
例えば、たとえ先行技術のメガネのレンズが寸法的に正確であり尚且つそれらの成形時又は取り付け時の元の幾何学構造において優れた光学を提供する場合でも、これらのレンズは、固定寸法のリムに挿入するために、最初に圧縮され曲げられる可能性がある。多くのタイプのアイウェアでは、リムは、レンズの周りを周囲から締め付けることもある。その他のケースでは、形の崩れたレンズサポート又はリムゆえに、本来ならば幾何学的に且つ光学的に正しいはずのレンズが、ひとたびリムに取り付けられると成形時又は取り付け前の元の幾何学構造から歪むことがある。これらのケースでは、レンズの幾何学構造は、リムに取り付けられた後に、成形時又は取り付け前の元の幾何学構造から変化する。更に、リム又はレンズのあらゆる寸法的逸脱は、後述のように、レンズの過度な圧縮及び深刻な曲げを発生させる可能性がある。
【００１１】
固定寸法のフルリムを有する先行技術のメガネが、図３の拡大断面図に示される。このような先行技術のメガネは、溝１８の内部幾何学構造を最初から超えた幾何学構造を有するレンズ１６を意図的に含んでいる。更に、意図されるよりもレンズが大幅に大きい状況もしばしばあり、これは、大抵、よくある寸法的及び製造的むらに起因する。したがって、このタイプの固定寸法の先行技術のアイウェアは、レンズ１６がリム１４に押し込まれるとき及びその後にレンズ１６がかなりの圧縮応力又は曲げを受け、結果としてレンズの幾何学的変化を生じることを特徴とする。このように、たとえレンズが取り付け前に卓越した光学を提供しても、そのレンズの光学は、幾何学的歪みゆえに取り付け後には失われてしまう。
【００１２】
レンズ１６に作用する圧縮力又は曲げ力は、レンズ１６がフレームに取り付けられるとき及びその後に生じて、光学収差又は非点収差歪みの発生源となる幾何学的変化をレンズ１６に発生させる可能性がある。例えば、レンズ１６が先行技術のメガネのリム１４に取り付けられた後は、図４に例示される矢印によって表わされるように、レンズ１６に対して１つ又は２つ以上の方向に力が作用する可能性がある。これらの力は、図５に示される
ように、レンズ１６を成形時又は取り付け前の意図される元の形状又は幾何学構造から逸脱させ、レンズ１６を光が通る際のプリズムシフトなどの種々の光学収差を発生させる。このような力は、レンズ１６の水平断面及び／又は垂直断面に見られるように、レンズの幾何学構造をその成形時又は取り付け前の幾何学構造から変化させる可能性がある。レンズの幾何学的逸脱の結果、このようなメガネの光学性能は損なわれる。
【００１３】
したがって、本明細書で開示される実施形態の少なくとも１つにしたがうのは、レンズがそれらの成形時又は取り付け前の元の幾何学構造を保持すること及びそれによってレンズの光学的品質を保つことを可能にするメガネを提供することが、当該分野において必要とされている、という認識である。より詳細には、レンズの幾何学構造を変動させ得る圧縮応力に組み立て時又は組み立て後及び着用時にほとんど又は全く見舞われることなくレンズがフレームのリムに取り付けられることを可能にするアイウェアフレームが、当該分野において必要とされている。
【００１４】
更に、本明細書で開示される一実施形態にしたがうのは、メガネのレンズがメガネの使用時に屈曲され又は曲げられ、ゆえにレンズの幾何学構造が歪められ、それらの意図される光学性能が損なわれることがある、という認識である。屈曲又は曲げは、レンズの水平面及び／又は垂直面において観察され得、レンズの曲率を変化させ得る。例えば、図６に例示されるように、もし先行技術のメガネ３２のテンプル３０が、非応力下ポジション３６から応力下ポジション３８へ横方向３４に屈曲される場合は、屈曲作用及び屈曲応力４０は、メガネ３２のテンプル３０及びフレーム４２に沿って概して均等に分布される。その結果、フレーム３６のリムに取り付けられたレンズもまた、屈曲される又は曲げられる。上記のように、その意図される幾何学構造からの逸脱時に、レンズは、光学収差及び光学的品質の低下に見舞われる。
【００１５】
したがって、本明細書で開示される実施形態の少なくとも１つにしたがうのは、テンプル又はフレームにおける外向き又は内向きの屈曲及び／又は捩りによって生じ得るようなメガネのその他のセクションの幾何学的変化の結果としてレンズに曲げ応力を発生させることのないメガネが、当該分野において必要とされている、という認識である。特に、レンズを曲げ応力又は屈曲応力から隔離する又は保護するメガネが、当該分野において必要とされている。例えば、メガネの撓みを主に被選択領域において発生させることによってレンズの曲げを阻止することを可能にする、相対的曲げ強度の異なる個別のフレックスゾーンを含むメガネを提供することができる。これらの「フレックスゾーン」は、レンズ及び／又はリムがそれらの成形時又は取り付け前の元の幾何学構造を保持することを可能にしつつ、曲げ応力、屈曲応力、又は捩り応力を吸収することができる。
【００１６】
換言すると、本明細書で開示される実施形態の少なくとも１つにしたがうと、メガネフレームのリムフレーム部分よりも比較的可撓性であるブリッジ領域及びテンプルセクションを含むメガネフレームが提供される。このような一実施形態は、メガネフレーム内に配されるレンズにかかる屈曲応力又は捩り応力を大幅に軽減する及び／又は排除することができる。このような実施形態では、屈曲応力又は捩り応力は、リムフレーム部分及びレンズに作用する代わりに、フレームを通じてブリッジセクション及びテンプルセクションに伝わることができる。
【００１７】
また、本発明の種々の実施形態は、リムフレーム部分と比べて可撓性であるブリッジセクション及びテンプルセクションを有する特徴を取り入れることなくレンズの成形時又は取り付け前の元の幾何学構造を維持するように構成することができる。本明細書で開示される一部の実施形態は、レンズの幾何学構造の歪みを阻止するように有利に構成できるのみならず、レンズへの力の伝達を阻止するようにも構成できると考えられる。実際、これらの特徴の取り入れ及び使用は、本開示によって当業者に明らかになる。
【００１８】
更に、本明細書で開示される一実施形態にしたがうと、レンズの成形時又は取り付け前の元の幾何学構造を維持するのみならず使用者によるレンズの交換も容易にするメガネフレームが提供される。更なる一実施形態では、レンズの成形時又は取り付け前の元の幾何学構造を維持し、使用者によるレンズの交換を容易にし、衝撃を受けた場合のレンズ保持を確実にするメガネフレームも提供される。
【００１９】
更に、本明細書で開示される一実施形態にしたがうと、メガネフレーム内の深いレンズ溝又は堀、及び製造公差を「吸収する」又は補償するために溝又は堀内に配される１つ又は複数のレンズバンパの使用を通じてレンズの成形時又は取り付け前の元の幾何学構造を実質的に維持するメガネフレームが提供される。少なくとも１つの実施形態では、固有の公差緩衝システムを取り入れた深い溝のメガネフレームが提供される。公差緩衝システムは、フレームに取り付けられたレンズがフレームに対して光学的に望ましいポジションに方向付けられていることを保証することができる。このようにすれば、レンズは、たとえ対応する溝のプロファイル（ｐｒｏｆｉｌｅ、輪郭）よりも大幅に小さいプロファイルを有することがあっても、フレーム及び着用者の視線に対して最適に位置決めすることができる。
【００２０】
したがって、一実施形態では、着用者の頭によって運ばれるように適応され、メガネによって支えられるレンズの幾何学構造及び光学的品質を維持するための、メガネが提供され、該メガネは、着用者の頭によって運ばれるように適応されるフレームと、レンズを着用者の視野の経路（ｐａｔｈ）内に位置決めするためにフレームによって運ばれるレンズサポートと、フレームのレンズサポートの内周に沿って形成されるレンズ取り付け領域又は溝であって、前方バンク（ｂａｎｋ、堤、土手）及び後方バンク、並びに前方バンクと後方バンクとの中間に配されるベッドを定め、ベッドは、浮遊（フローティング）プロファイルを定め、前方バンク及び後方バンクの各自は、前方保持プロファイル及び後方保持プロファイルをそれぞれ定める、レンズ取り付け領域又は溝と、を含み、レンズの外側プロファイルは、レンズが溝から離脱することなく垂直方向及び内外方向にレンズサポートの溝内を動くことを許容されるように、ベッドの浮遊プロファイル未満であるとともに溝の前方バンク及び後方バンクの保持プロファイルを超える。
【００２１】
メガネは、１対のレンズサポートを含むことができ、これらのレンズサポートは、デュアルレンズを支えるように構成される。前方保持プロファイルは、後方保持プロファイルと異なることができる。メガネは、レンズ取り付け領域又は溝内に配される１つ又は複数のレンズバンパを含むことができる。レンズバンパは、レンズサポートに装着することができる。レンズは、成形時又は取り付け前の元の幾何学構造からの幾何学的歪みを生じることなく溝内に維持されることができる。前方バンク及び後方バンクの少なくとも１つは、第１のレンズサポート沿いに連続曲線として伸びることができる。前方バンク及び後方バンクの少なくとも１つは、レンズサポートの溝内にレンズを保持するための１つ又は複数の可撓性タブを含むことができる。溝は、一定の深さを定めることができる。相対する第１のへりは、第１の周経路を定めることができ、相対する第２のへりは、第２の周経路を定めることができ、第１の周経路は、第２の周経路に外接している。
【００２２】
別の実施形態では、メガネによって支えられるレンズの幾何学構造及び光学的品質を維持するためのメガネが提供され、該メガネは、着用者の頭によって運ばれるように適応されるフレームと、第１のレンズを着用者の視野の経路内に位置決めするためにフレームによって運ばれる第１の下側サポートであって、第１のレンズ取り付け領域又は溝を定めてその中に第１のレンズを捕えるためにフレームに装着可能である第１の下側サポートと、第２のレンズを着用者の視野の経路内に位置決めするためにフレームによって運ばれる第２の下側サポートであって、第２のレンズ取り付け領域又は溝を定めてその中に第２のレ
ンズを捕えるためにフレームに装着可能である第２の下側サポートと、を含み、第１及び第２の溝は、レンズサポートの第１及び第２の下側サポート部分がレンズサポートの下部に装着されたときに第１及び第２の下側サポートのそれぞれ並びにフレームの内周に沿って形成され、溝は、相対するバンクと、これらの相対するバンクの中間に配されるベッドとを定め、ベッドは、浮遊プロファイルを定め、相対するバンクの各自は、それぞれの保持プロファイルを定め、ベッドの浮遊プロファイルは、対応するレンズのプロファイルを超え、対応するレンズのプロファイルは、第１及び第２のレンズがそれぞれ第１及び第２の溝内をその溝から離脱することなく動くことを許容されるように、溝のバンクの保持プロファイル未満である。
【００２３】
第１及び第２のリムは、チタンを含むことができる。第１及び第２の下側ポートは、射出成形によって形成することができる。第１及び第２の下側サポートは、メタルを含むことができる。
【００２４】
更に別の実施形態では、メガネによって支えられるレンズの幾何学構造及び光学的品質を維持するためのメガネが提供され、該メガネは、着用者の頭によって運ばれるように適応されるフレームであって、少なくとも第１及び第２の自由端を定めるようにレンズの全周未満に沿って伸びるフレームと、フレームの第１の端に枢動可能に装着される顎部（ｊａｗ、ジョー）であって、第１のレンズを着用者の視野の経路内に位置決めするためにフレーム及び顎部がレンズの周を少なくとも部分的に取り囲むようにフレームの第１の端からフレームの第２の端へ伸びる自由端を有し、顎部及びフレームは、中にレンズを受けるためのレンズ取り付け領域又は溝を定める、顎部と、フレームの第２の端に枢動可能に装着されるラッチ部材であって、係合ポジションと離脱ポジションとの間で可動であり、顎部の自由端の少なくとも一部分を捕えて顎部の自由端をフレームの第２の端に固定するために係合ポジションにあるラッチ部材と、を含む。
【００２５】
ラッチ部材は、フレームの内側端に配することができる。ラッチ部材は、メガネのノーズピースの一部として機能することができる。ラッチ部材は、内外方向に枢動することができる。メガネは、更に、溝内に配される１つ又は複数のレンズバンパを含むことができる。溝は、顎部がフレームに装着されたときにフレーム及び顎部のそれぞれの内周に沿って形成され、溝は、相対するバンクと、これらの相対するバンクの中間に配されるベッドとを定め、ベッドは、浮遊プロファイルを定め、相対するバンクの各自は、それぞれの保持プロファイルを定める。ベッドの浮遊プロファイルは、対応するレンズのプロファイルを超えることができ、対応するレンズのプロファイルは、レンズが溝内をその溝から離脱することなく動くことを許容されるように、溝のバンクの保持プロファイル未満であることができる。メガネは、更に、レンズに装着される１つ又は複数のレンズバンパを含むことができる。
【００２６】
一部の実施形態では、顎部は、フレームと一体的に形成することができる。例えば、デュアルレンズを有するメガネでは、メガネの各側について、顎部の端は、フレーム部分と一体的に形成することができる。換言すると、フレーム及び顎部は、射出成形などによって一体的に形成することができる。顎部が枢動する、動く、又は撓むことを許容して顎部の自由端がフレームの第２の端から離れる及び同第２の端に向かうことによってレンズの取り換えを可能にするような材料で顎部が形成される、実施形態を提供することができる。別の実施形態では、顎部の自由端がフレームの第２の端に向かうように又は同第２の端から離れるように枢動する、動く、又は撓むことを可能にするために、顎部とフレームとの間の接合部に可動ジョイントを形成することができる。このように、メガネのこのような実施形態は、素早く且つ便利に形成することができる。例えば、このような実施形態は、射出成形などのプロセスを通じて形成される統合された又は一体的な製品であることができる。このような実施形態は、パーツの数を有利に減らすとともに使用者による操作を
容易にすることができる。
【００２７】
その他の実施形態では、ラッチ部材は、メガネと一体的に形成することもできる。例えば、ラッチ部材は、フレームの第２の端と一体的に形成することができる。ラッチ部材が枢動する、動く、又は撓むことを許容してラッチ部材に対する顎部の係合又は離脱を可能にする材料でラッチ部材が形成される、一実施形態を提供することができる。別の実施形態では、ラッチ部材が枢動する、動く、又は撓むことを可能にしてラッチ部材に対する顎部の係合又は離脱を可能にするために、ラッチ部材とフレームとの間の接合部に可動ジョイントを形成することができる。
【００２８】
更に別の実施形態では、メガネによって支えられるレンズの幾何学構造及び光学的品質を維持するためのメガネであって、フレームと、サポート部材と、固定部材とを含むメガネが提供される。フレームは、着用者の頭によって運ばれるように適応され、レンズの周の少なくとも一部分に沿って伸びることができる。サポート部材は、サポート部材がフレームに相対的に保持ポジションと開ポジションとの間で枢動することができるように、フレームに枢動可能に装着することができる。サポート部材は、レンズの周の少なくとも一部分を捕えてレンズを着用者の視野の経路内に取り付けるために、保持ポジションへ可動であることができる。固定部材は、係合ポジションと離脱ポジションとの間で可動であることができる。固定部材は、サポート部材を保持ポジションに固定してサポート部材をフレームに固定するために、係合ポジションにあることができる。更に、固定部材は、メガネと一体的に形成することができる。
【００２９】
一部の実施形態では、フレームは、少なくとも第１の自由端を定めることができ、サポート部材は、その第１の自由端においてフレームに枢動可能に装着することができる。サポート部材は、また、フレームの第１の端に枢動可能に装着されるとともに、レンズを着用者の視野の経路内に位置決めするためにフレーム及びサポート部材がレンズの周を少なくとも部分的に取り囲むようにフレームの第２の端に相対的に固定することができる自由端を有することができる。フレーム及びサポート部材は、中にレンズを受けることができる剛性の囲いを定めることができる。剛性の囲いは、レンズに変形力を作用させることなくレンズを保持するように構成することができる。更に、サポート部材は、フレームと一体的に形成されて、フレームに相対的に枢動する、動く、又は撓むように構成することができる。
【００３０】
サポート部材及びフレームは、中にレンズを受けるためのレンズ取り付け領域又は溝を定めることができる。メガネの一部の実施形態は、溝内に配される１つ又は複数のレンズバンパも含むことができる。更に、溝は、サポート部材が保持ポジションへ動いたときに、フレーム及びサポート部材の内周に沿って形成することができる。溝は、相対するバンクと、これらの相対するバンクの中間に配されるベッドとを定めることができる。ベッドは、浮遊プロファイルを定めることができる。相対するバンクの各自は、それぞれの保持プロファイルを定めることができる。ベッドの浮遊プロファイルは、対応するレンズのプロファイルを超えることができる。更に、対応するレンズのプロファイルは、レンズが溝内をその溝から離脱することなく動くことを許容されるように、溝のバンクの保持プロファイル未満であることができる。
【００３１】
また、固定部材は、フレームの第２の端に枢動可能に装着されるラッチ部材であることができる。ラッチ部材は、サポート部材の自由端をフレームの第２の端に相対的に固定するためにサポート部材の自由端に係合するように構成することができる。ラッチ部材は、フレームの第２の端と一体的に形成されて、フレームに対して枢動する、動く、又は撓むように構成することができる。固定部材は、フレームに枢動可能に装着されるラッチ部材であることができる。更に、固定部材は、フレームの内側部分に配することができる。こ
の関連で、メガネは、更に、ノーズピースセクションを含むことができ、ノーズピースセクションは、ラッチ部材を含むことができる。ラッチ部材は、内外方向に枢動することができる。
【００３２】
一部の実施形態では、メガネは、デュアルレンズと１対のサポート部材とを含むことができる。メガネのサポート部材は、フレームと一体的に形成されて、フレームに対して枢動する、動く、又は撓むように構成することができる。メガネは、また、１つ又は複数のレンズバンパを装着されるレンズを含むこともできる。
【００３３】
別の実施形態にしたがうと、メガネによって支えられるレンズの幾何学構造及び光学的品質を維持するためのメガネであって、フレームと、第１及び第２のサポートとを含むメガネが提供される。フレームは、着用者の頭によって運ばれるように適応することができる。第１のサポートは、第１のレンズを着用者の視野の経路内に位置決めするためにフレームによって運ぶことができる。第１のサポートは、開ポジションと、第１のレンズ取り付け領域又は溝を定めてその中に第１のレンズを捕えるためにフレームに相対的に固定される保持ポジションとを有することができる。第２のサポートは、第２のレンズを着用者の視野の経路内に位置決めするためにフレームによって運ぶことができる。第２のサポートは、開ポジションと、第２のレンズ取り付け領域又は溝を定めてその中に第２のレンズを捕えるためにフレームに相対的に固定される保持ポジションとを有することができる。
【００３４】
一部の実施形態では、第１及び第２の溝は、第１及び第２のサポートがフレームに装着されたときに第１及び第２のサポートのそれぞれ並びにフレームの内周に沿って形成することができる。第１及び第２の溝は、相対するバンクと、これらの相対するバンクの中間に配されるベッドとを定めることができる。ベッドは、浮遊プロファイルを定めることができ、相対するバンクの各自は、それぞれの保持プロファイルを定めることができる。更に、ベッドの浮遊プロファイルは、対応するレンズのプロファイルを超えることができ、対応するレンズのプロファイルは、第１及び第２のレンズがそれぞれ第１及び第２の溝内をその溝から離脱することなく動くことを許容されるように、溝のバンクの保持プロファイル未満であることができる。
【００３５】
変更された実施形態では、第１及び第２のサポートは、フレームに枢動可能に結合することができる。例えば、第１及び第２のサポートは、第１及び第２の端を定めることができる。それらの第１の端は、フレームの第１の端に枢動可能に装着することができる。第１及び第２のサポートは、レンズを着用者の視野の経路内に位置決めするためにフレーム並びに第１及び第２のサポートがレンズを少なくとも部分的に取り囲むようにフレームの第２の端に相対的に固定することができる自由端を有することができる。
【００３６】
また、第１及び第２のサポートは、フレームと一体的に形成されて、フレームに対して枢動する、動く、又は撓むように構成することができる。第１及び第２のサポートは、フレームがレンズの上端を支えて第１及び第２のサポートがレンズの下端を支えるように、フレームの下方に伸びる第１及び第２の下側サポートであることができる。
【００３７】
更に、一部の実施形態では、メガネは、更に、係合ポジションと離脱ポジションとの間で可動であることができる固定部材を含むことができる。固定部材は、第１及び第２のサポートのそれぞれをフレームに相対的に固定するために、それぞれ係合ポジションへ可動であることができる。固定部材は、フレームと一体的に形成されて、フレームに対して枢動する、動く、又は撓むように構成することができる。固定部材は、フレームの第２の端に枢動可能に装着されるラッチ部材を含む。ラッチ部材は、第１及び第２のサポートの自由端をフレームの第２の端に相対的に固定するためにそれぞれのサポートの自由端に係合するように構成することができる。ラッチ部材は、フレームの内側部分に配することがで
きる。ラッチ部材は、内外方向に枢動することができる。
【００３８】
更に他の実施形態では、フレーム並びに第１及び第２のサポートのそれぞれは、中にレンズを受けることができる剛性の囲いを定めることができる。剛性の囲いは、レンズに変形力を作用させることなくレンズを保持するように構成することができる。
【００３９】
更に、別の実施形態では、レンズの成形時の幾何学構造を維持するためのメガネフレームが提供される。該フレームは、レンズを少なくとも部分的に受けるように構成されるレンズ取り付け領域又は溝を含むことができる。フレームは、フレーム部分とサポート部材とを含むことができる。サポート部材は、開ポジションにあるときに溝へのアクセスを提供するために及び閉ポジションにあるときにレンズを溝内において横方向に保持するために、フレーム部分に相対的に可動であることができる。閉ポジションでは、第１のフレーム部分及びサポート部材は、レンズに変形力を作用させることなくレンズを溝内において固定することができる。
【００４０】
メガネフレームは、更に、溝内に配される１つ又は複数のレンズバンパを含むことができる。更に、メガネフレームは、公差緩衝システムも含むことができる。公差緩衝システムは、フレームに取り付けられたレンズがフレームに相対的に光学的に望ましいポジションに方向付けられることを保証するためにレンズ溝内において選択的に配置するための複数のレンズバンパを含むことができる。
【００４１】
本明細書で開示される発明の上記の及びその他の特徴は、好ましい実施形態の図面を参照にして以下で説明される。例示される実施形態は、発明の例示を意図するものであり、発明の限定を意図するものではない。図面は、以下の図を含む。
【図面の簡単な説明】
【００４２】
【図１】先行技術のメガネの斜視図である。
【図２】先行技術のメガネの拡大部分正面図であり、フレームの一部分及びそのレンズを例示している。
【図３】図１に示されるメガネを図２のセクション３−３に沿って見た側断面図であり、レンズとフレームとの締まり嵌めを例示している。
【図４】図１の先行技術のメガネの正面図であり、メガネのレンズに作用される種々の力を例示している。
【図５】図４に示される先行技術のメガネを図４のセクション５−５に沿って見た側断面図であり、レンズに作用される種々の力、及びその結果として生じるレンズの幾何学構造の歪みを例示している。
【図６】先行技術のメガネの上面図であり、メガネのテンプル、フレーム、及びレンズに沿って分布される横方向の曲げ力を例示している。
【図７】本発明の一実施形態にしたがった、フレームに支えられるレンズの成形時又は取り付け前の元の幾何学構造を、レンズを「浮遊」可能にすることによって維持するように構成されるフレームを有するメガネの正面図である。
【図８】図７のメガネを図７のセクション８−８に沿って見た側断面図である。
【図９】図７のメガネを図８のセクション９−９に沿って見た拡大部分側断面図である。
【図１０】一実施形態にしたがった、メガネのフレームの部分正面図である。
【図１１】別の実施形態にしたがった、部分的なレンズサポート又はリムを有するメガネのフレームの部分正面図である。
【図１２Ａ】更に別の実施形態にしたがった、メガネのフレームの部分正面図である。
【図１２Ｂ】図１２Ａのフレームをセクション１２Ｂ−１２Ｂに沿って示した側断面図であり、フレームによって支えられるレンズを例示している。
【図１２Ｃ】図１２Ａのフレーム及びレンズを図１２Ｂのセクション１２Ｃ−１２Ｃに沿って見た拡大側断面図である。
【図１３】一実施形態にしたがった、メガネフレームの斜視図である。
【図１４】図１３のメガネフレームの正面図である。
【図１５】図１３のメガネフレームの分解斜視図であり、その構成要素を例示している。
【図１６Ａ】一実施形態にしたがった、図１３のメガネフレームを取り入れたメガネの部分正面図である。
【図１６Ｂ】図１６Ａに例示されるメガネの部分背面図である。
【図１７Ａ】一実施形態にしたがった、開放構成にある図１３のメガネフレームの背面斜視図である。
【図１７Ｂ】図１７Ａに示されるメガネフレームの正面図である。
【図１８Ａ】一実施形態にしたがった、図１３のメガネフレームのラッチの開放及びそこからのレンズの取り外しを例示している。
【図１８Ｂ】一実施形態にしたがった、図１３のメガネフレームのラッチの開放及びそこからのレンズの取り外しを例示している。
【図１８Ｃ】一実施形態にしたがった、図１３のメガネフレームのラッチの開放及びそこからのレンズの取り外しを例示している。
【図１９Ａ】別の実施形態のメガネフレームのラッチの開放を例示している。
【図１９Ｂ】別の実施形態のメガネフレームのラッチの開放を例示している。
【図２０Ａ】更に別の実施形態のメガネフレームと、そこからレンズを取り外すためのそのラッチの開放とを例示している。
【図２０Ｂ】更に別の実施形態のメガネフレームと、そこからレンズを取り外すためのそのラッチの開放とを例示している。
【図２０Ｃ】更に別の実施形態のメガネフレームと、そこからレンズを取り外すためのそのラッチの開放とを例示している。
【図２１Ａ】少なくとも１枚のレンズを取り外し可能式に受けるように適応される更に別の実施形態のメガネフレームを例示している。
【図２１Ｂ】少なくとも１枚のレンズを取り外し可能式に受けるように適応される更に別の実施形態のメガネフレームを例示している。
【図２１Ｃ】少なくとも１枚のレンズを取り外し可能式に受けるように適応される更に別の実施形態のメガネフレームを例示している。
【図２２Ａ】少なくとも１枚のレンズを取り外し可能式に受けるように適応される更なる実施形態のメガネフレームを例示している。
【図２２Ｂ】少なくとも１枚のレンズを取り外し可能式に受けるように適応される更なる実施形態のメガネフレームを例示している。
【図２２Ｃ】少なくとも１枚のレンズを取り外し可能式に受けるように適応される更なる実施形態のメガネフレームを例示している。
【図２３】更に別の実施形態にしたがった、微小ギャップを含むメガネフレームの部分正面図である。
【図２４Ａ】フレーム部分及びサポート部材を有するメガネフレームの更に別の実施形態を例示している。
【図２４Ｂ】フレーム部分及びサポート部材を有するメガネフレームの更に別の実施形態を例示している。
【図２５】別の実施形態にしたがった、１つ又は複数のレンズバンパを含むメガネの部分斜視図である。
【図２６】図２５のメガネを図２５のセクション２６−２６に沿って見た側断面図である。
【図２７】図２５のメガネを図２６のセクション２７−２７に沿って見た部分側断面図である。
【図２８】一実施形態にしたがった、メガネフレームのサポート部材及びレンズバンパの上面斜視図である。
【図２９】一実施形態にしたがった、レンズを支えるための１つ又は複数のバンパを有するメガネフレームの部分底面斜視図である。
【図３０】更に別の実施形態にしたがった、レンズを支えるための１つ又は複数のバンパを有するメガネフレームの部分上面斜視図である。
【図３１Ａ】種々の実施形態にしたがった、レンズを支えるための１つ又は複数のレンズバンパとして考えられる箇所を例示しているメガネフレームの部分正面図である。
【図３１Ｂ】種々の実施形態にしたがった、レンズを支えるための１つ又は複数のレンズバンパとして考えられる箇所を例示しているメガネフレームの部分正面図である。
【図３１Ｃ】種々の実施形態にしたがった、レンズを支えるための１つ又は複数のレンズバンパとして考えられる箇所を例示しているメガネフレームの部分正面図である。
【図３１Ｄ】種々の実施形態にしたがった、レンズを支えるための１つ又は複数のレンズバンパとして考えられる箇所を例示しているメガネフレームの部分正面図である。
【図３２Ａ】種々の実施形態にしたがった、メガネのレンズ取り付け領域又は溝内に配されるレンズバンパの実施形態の断面幾何学構造をそれぞれメガネの内外軸に沿って例示している部分側断面図である。
【図３２Ｂ】種々の実施形態にしたがった、メガネのレンズ取り付け領域又は溝内に配されるレンズバンパの実施形態の断面幾何学構造をそれぞれメガネの内外軸に沿って例示している部分側断面図である。
【図３２Ｃ】種々の実施形態にしたがった、メガネのレンズ取り付け領域又は溝内に配されるレンズバンパの実施形態の断面幾何学構造をそれぞれメガネの内外軸に沿って例示している部分側断面図である。
【図３２Ｄ】種々の実施形態にしたがった、メガネのレンズ取り付け領域又は溝内に配されるレンズバンパの実施形態の断面幾何学構造をそれぞれメガネの内外軸に沿って例示している部分側断面図である。
【図３２Ｅ】種々の実施形態にしたがった、メガネのレンズ取り付け領域又は溝内に配されるレンズバンパの実施形態の断面幾何学構造をそれぞれメガネの内外軸に沿って例示している部分側断面図である。
【図３２Ｆ】種々の実施形態にしたがった、メガネのレンズ取り付け領域又は溝内に配されるレンズバンパの実施形態の断面幾何学構造をそれぞれメガネの内外軸に沿って例示している部分側断面図である。
【図３３Ａ】種々の実施形態にしたがった、メガネのレンズ取り付け領域又は溝内に配されるレンズバンパの実施形態の断面幾何学構造をそれぞれメガネの前後軸に沿って例示している部分側断面図である。
【図３３Ｂ】種々の実施形態にしたがった、メガネのレンズ取り付け領域又は溝内に配されるレンズバンパの実施形態の断面幾何学構造をそれぞれメガネの前後軸に沿って例示している部分側断面図である。
【図３４Ａ】一実施形態にしたがった、レンズバンパがレンズに沿って配される周辺ガスケットであるメガネのレンズの正面図である。
【図３４Ｂ】別の実施形態にしたがった、複数のレンズバンパがレンズに沿って配されるメガネのレンズの正面図である。
【図３５Ａ】種々の実施形態にしたがった、レンズに装着可能なレンズバンパの実施形態の断面幾何学構造をそれぞれメガネの内外軸に沿って例示している部分側断面図である。
【図３５Ｂ】種々の実施形態にしたがった、レンズに装着可能なレンズバンパの実施形態の断面幾何学構造をそれぞれメガネの内外軸に沿って例示している部分側断面図である。
【図３５Ｃ】種々の実施形態にしたがった、レンズに装着可能なレンズバンパの実施形態の断面幾何学構造をそれぞれメガネの内外軸に沿って例示している部分側断面図である。
【図３５Ｄ】種々の実施形態にしたがった、レンズに装着可能なレンズバンパの実施形態の断面幾何学構造をそれぞれメガネの内外軸に沿って例示している部分側断面図である。
【図３５Ｅ】種々の実施形態にしたがった、レンズに装着可能なレンズバンパの実施形態の断面幾何学構造をそれぞれメガネの内外軸に沿って例示している部分側断面図である。
【図３５Ｆ】種々の実施形態にしたがった、レンズに装着可能なレンズバンパの実施形態の断面幾何学構造をそれぞれメガネの内外軸に沿って例示している部分側断面図である。
【図３６Ａ】種々の実施形態にしたがった、レンズに装着されるレンズバンパの実施形態の断面幾何学構造をそれぞれメガネの前後軸に沿って例示している部分側断面図である。
【図３６Ｂ】種々の実施形態にしたがった、レンズに装着されるレンズバンパの実施形態の断面幾何学構造をそれぞれメガネの前後軸に沿って例示している部分側断面図である。
【図３７】一実施形態にしたがった、メガネを通る横方向の曲げ力及び屈曲応力を分布させるためとして考えられるメガネのフレックスゾーンを例示しているメガネの部分上面図である。
【図３８】一実施形態にしたがった、メガネを通る横方向の曲げ力及び屈曲応力を分布させるためのフレックスゾーンとしてメガネのブリッジが使用されるメガネの上面図である。
【図３９】別の実施形態にしたがった、メガネを通る横方向の曲げ力及び屈曲応力を分布させるためのフレックスゾーンとしてメガネのテンプルコネクタが使用されるメガネの上面図である。
【発明を実施するための形態】
【００４３】
本説明は、種々の実施形態の具体的詳細を述べている一方で、例示目的にすぎず、いかなる意味でも限定的だと見なされるべきでないことがわかる。また、本発明の特定の実施形態は、ユニタリレンズ又はデュアルレンズのいずれかのアイウェアシステムとの関連で開示又は図示されるが、このような実施形態は、ユニタリ及びデュアルの両方のアイウェアシステムにおいて使用可能であると考えられる。更に、本発明の特定の実施形態は、フルリムを有するフレームとの関連で開示又は図示されるが、このような実施形態は、フルリムを有するフレーム及び部分リムを有するフレームの両方に使用可能であると考えられる。更に、当業者ならば想到し得るこのような実施形態の種々の応用及びそれらに対する変更もまた、本明細書に記載される一般概念によって網羅される。
【００４４】
上記のように、図１〜６に例示される先行技術のメガネは、限界と不利益とを有する。したがって、先行技術の不利益を克服するために、本明細書で開示される本発明の種々の実施形態は、レンズの成形時又は取り付け前の元の幾何学構造を維持しつつレンズを支えるように構成されるメガネを提供する。一部の実施形態は、レンズへの力の伝達を阻止するように構成されるメガネも提供する。一部の実施形態では、メガネは、レンズをフレームに対して「浮遊」可能にするように構成することができる。
【００４５】
したがって、先行技術のメガネとは対照的に、本明細書で開示される実施形態は、レンズの幾何学構造を変化させる形でレンズをフレームに取り付ける必要をなくす。本発明の実施形態のこの革新的特徴は、本明細書で開示されるメガネフレームの実施形態が、レンズをその元の幾何学的形状を維持することを可能にしつつ着用者の視野内に支えることを可能にする。したがって、レンズは、優れた光学的品質を保持することができる。
【００４６】
例えば、一部の実施形態は、中にレンズを受けることができるオーバーサイズの又は深いレンズ取り付け領域又は溝を含むように構成することができる。溝は、レンズの周よりも大きい周を定める深さを有するように構成することができる。更に、溝は、レンズを溝内に維持するための前方サポート及び後方サポートを含むことができる。換言すると、溝の構造は、溝内におけるレンズの前後（先後）の動きを概して制限しつつ、内外（左右）の動き及び上下（高方低方）の動きを概して許容し得る。したがって、レンズは、溝内において「浮遊」していると称することができる。これらの特徴は、レンズを少なくとも部分的に又は完全に取り囲むレンズサポート又はリムにおいて使用することができる。
【００４７】
レンズの「浮遊」は、したがって、レンズサポートの少なくとも一部分に沿って伸びるとともに内外、上下、及び／又は前後の方向においてレンズサポートとレンズとの間に少なくとも最小限のギャップを可能にするように構成される、レンズ取り付け領域又は溝又はレンズ保持ゾーンを提供することによって、実現することができる。「浮遊」レンズは、また、レンズを保持するために先行技術のメガネに使用される締まり嵌めに典型的な、レンズをその成形時又は取り付け前の幾何学構造から幾何学的に歪ませる力から、たとえ完全ではなくとも実質的に免れることができる。この点について、レンズは、たとえ力が作用している場合でも、もしその力がレンズをその成形時又は取り付け前の幾何学構造から幾何学的に歪ませるものでなければ、溝内において「浮遊」できると考えられる。
【００４８】
また、レンズを溝内において浮遊可能にすることによって、レンズの成形時又は取り付け前の元の幾何学構造、及び光学特性は、レンズサポートへの取り付け後も保たれ得る。したがって、種々の実施形態の目的は、レンズを幾何学的に歪ませる力のレンズへの伝達を阻止することを含むことができる。これは、レンズへ力を伝えることなく又はレンズ内に応力を発生させることなくレンズを保持するように構成されるレンズ取り付け領域又は溝を有する剛性のメガネフレームを提供することによって実現することができる。例えば、メガネのレンズサポート又はリムは、レンズの寸法及び公差に相対的に十分な浮遊ギャップを提供する寸法及び公差を有するように作成することができる。したがって、浮遊ギャップは、取り付けられたときにレンズ幾何学構造が変化しないように保証することができる。更に、もしリムが剛性であれば、浮遊ギャップは、メガネの使用中も維持され、ゆえに、レンズの幾何学的歪みを阻止することができる。したがって、フレームと、サポート部材、顎部、又はレンズサポートとは、中にレンズを受けることができる剛性の囲いを定めることができる。剛性の囲いは、レンズに変形力を作用させることなくレンズを保持するように構成することができる。
【００４９】
更に、本説明において、「レンズサポート部材」、「フレーム部材」、又は「顎部」という用語は、１枚又は複数枚のレンズを保持するためにフレーム又はフレーム部分に相対的に可動なメガネの部分を指すことができる。これらの用語は、本明細書で例示及び説明される種々の構造に言及するためにしばしば取り換えて使用可能である。
【００５０】
一部の実施形態では、レンズへの圧縮応力及び屈曲応力の伝達を最小限に抑える且つ／又は排除しつつレンズを支えるように構成されるメガネフレームが提供される。したがって、レンズの周から中心へ向かう圧縮応力、及び前後方向の圧縮応力を、最小限に抑える及び／又は排除することができる。上記のように、溝又はレンズスロットは、必要よりも深くできるのみならず、必要よりも広くもできる。このような構成は、応力の伝達を阻止するのに有用であるのみならず、リム及び／又はレンズの製造公差も打ち消し得る。実際、本明細書で開示される一実施形態にしたがうのは、前後方向の浮遊ギャップが小さいほど、溝がよりきつくレンズを挟み、溝の寸法的むらがより効率的にレンズに伝わる。
【００５１】
その他の実施形態では、レンズの幾何学的歪みを回避するのみならず着用者が自分の好
みにしたがってメガネのパーツを自由に交換することも可能にするメガネが提供される。メガネは、レンズ又はその他の同様の要素の交換を可能にするように構成することができる。例えば、メガネのフレームは、レンズを解放可能式に受けるように構成することができる。この関連で、フレームは、レンズがフレームによって支えられることを可能にするために互いから切り離すことができる１つ又は複数の相互接続セグメントを含むことができる。
【００５２】
また、レンズの歪みを最小限に抑えるメガネの実施形態は、随意として、１つ又は複数のレンズバンパを含むメガネであることができる。レンズバンパは、メガネのフレーム及び／又はレンズに装着することができる。レンズバンパは、製造公差を「吸収する」又は補償することができる。例えば、フレーム及びレンズの寸法公差は、通常、およそ±０．０５ｍｍ（±０．００２インチ）であり、ゆえに、０．２ｍｍもの大きさの不一致を得る。ゆえに、一部の実施形態では、これらの公差の不正確さを補償するために、レンズバンパを使用することができる。
【００５３】
レンズバンパは、フルリム又は部分リムにおいて使用することができる。更に、レンズバンパは、レンズ又は溝のいずれかに装着することができる。レンズバンパは、内外、上下、及び／又は前後の任意の方向に、レンズとリムとの間に位置決めすることができる。レンズ又は溝に沿った、これらの方向へのレンズバンパの配置は、レンズにいかなる応力も及ぼさずにレンズの適切な位置決めを維持することを助けることができる。レンズバンパは、また、レンズとメガネとの間により厳密な方向性を提供するために使用することもできる。後ほど詳述されるように、レンズバンパは、１つ又は複数の構成要素を含むこともできる。
【００５４】
レンズバンパは、また、最小限の負荷でもレンズバンパが圧縮性及び弾力性になることを可能にする１つ又は複数の材料から形成することもできる。換言すると、レンズバンパは、比較的低い負荷で撓むことができる材料（例えば、圧縮性だが弾力性のフォーム、エラストマ材料、空気袋、ゲル充填袋など）から作成することができる。
【００５５】
その他の実施形態では、レンズバンパは、フレームに相対的なレンズの過度な動きを阻止するために使用することができる。レンズバンパは、レンズの幾何学的歪みを発生させるのに足るいかなる負荷もレンズに伝達しないように設計及び製造することができる。更なる実施形態では、レンズバンパは、レンズの縁を保護することができる。更に、一部の実施形態は、フレームに対するレンズのがたつきを軽減するレンズバンパを提供する。最後に、更に他の実施形態は、フレームに対してレンズを所定のポジションに維持しやすいレンズバンパを提供する。
【００５６】
本明細書で開示される実施形態のその他の革新的態様は、メガネにかかる曲げ応力を吸収することができる個別のゾーンを取り入れることを含む。メガネは、より快適で且つあつらえの適合を提供するためのみならず、レンズを幾何学的に歪め得るいかなる負荷もレンズにかからないようにするために、このような特徴を取り入れることができる。ゆえに、メガネは、快適であるのみならず、卓越した光学的品質も提供する。
【００５７】
例えば、メガネは、メガネの１つ又は複数のテンプルセクションに沿ってフレックスゾーンを含むように構成することができる。別の実施形態では、メガネは、メガネのフレームのブリッジセクションに沿ってフレックスゾーンを含むことができる。そして、更に他の実施形態では、メガネは、メガネのブリッジセクション及びテンプルセクションに沿ってフレックスゾーンを含むことができる。これらのいずれの実施形態でも、メガネに作用するいかなる曲げ力又は捩り力も、レンズではなくメガネのフレックスゾーンが負うことができる。例えば、一部の実施形態では、１つ又は複数のフレックスゾーンの使用は、中
にレンズを配されるメガネのリムフレーム部分の曲げを阻止することができる。
【００５８】
また、メガネは、望ましい機械的性質をメガネに付与するために、複数の材料を使用して作成することができる。この関連で、メガネのフレーム及びテンプルは、異なる材料で作成され得る。更に、メガネのフレーム及び／又はテンプルは、フレームの特定の領域及び／又はテンプルセクションに望ましい機械的性質を付与する複数の材料を使用してそれぞれ作成することができる。このようにして、メガネは、所定の構成要素に沿って機械的性質が変化するような所定の構成要素を含むことができる。
【００５９】
例えば、一部の実施形態では、メガネのフレームは、フレームのブリッジセクションを可撓性にしつつ、レンズを支える剛性部分を定めるように構成することができる。更に、テンプルセクションは、その遠位部分を概して剛性にする一方で、その近位部分を可撓性にし得る。快適さを向上させるため及びメガネの光学的品質を保つために、メガネの機械的性質をその他の組み合わせ及びヴァリエーションに操作することが可能である。
【００６０】
メガネにおいて望ましい機械的性質を実現するために、一部の実施形態は、オーバーモールド又はコモールドを通じてメガネを製造する方法も提供する。
【００６１】
更に、一部の実施形態では、メガネのフレームは、１つ又は複数のサポートリブを含むことができる。サポートリブは、フレームの幾何学的形状を維持するために使用することができる。例えば、サポートリブは、メガネのレンズ受け凹所に隣接するメガネのフレーム部分に沿って配することができる。更に、サポートリブは、メガネのレンズ取り付け領域又は溝に配することができる。サポートリブは、フレーム部分が曲がりにくく又は撓みにくくなるようにフレームを強化する働きをすることができる。一部の実施形態では、サポートリブは、剛性を提供するため及びレンズの変形を阻止するために、リムフレーム部分全体に沿って伸びることができる。したがって、メガネのこのような一実施形態は、フレームによって支えられるレンズの曲げを軽減及び／又は排除しやすくもする。
【００６２】
サポートリブは、メガネとともにコモールドできると考えられる。しかしながら、サポートリブは、メガネの製造後にメガネと組み合わせることもできると考えられる。例えば、一部の実施形態では、サポートリブは、メガネのレンズ取り付け領域若しくは溝の中に若しくは沿って、又はレンズサポートの一部分に沿って位置するように構成することができる。更に、サポートリブは、メガネに固定する、又は取り外し可能式に結合することもできる。
【００６３】
次に、図７に言及すると、本発明の態様にしたがって用意されたメガネの一実施形態が例示されている。特に、図７〜９は、メガネの全ての実施形態に必ずしも必要ではないが取り入れることができる「浮遊」レンズ特徴を例示している。図７は、浮遊レンズ構造を有するメガネ１００の部分正面図である。したがって、メガネ１００のレンズ１０２は、メガネ１００のフレーム１０４又はレンズサポート１０６に相対的に「浮遊」するように構成することができる。フレーム１０４は、ワイヤ又はノンワイヤのフレームを含むことができる。
【００６４】
本明細書では、「浮遊」レンズは、上記のように、レンズの周プロファイルと、フレームのレンズ取り付け領域又は溝の内周プロファイルとの間の幾何学的な差を示す。更に、図７を参照すると、「浮遊」レンズという用語は、レンズ１０２の外側プロファイル即ち外周１１０と、フレーム１０４のレンズ取り付け領域又は溝１１４の内側プロファイル即ち内周１１２との間の幾何学的な差を示す。図７の正面図に示されるように、レンズ１０２は、レンズ１０２の外側プロファイル即ち外周１１０のどの部分も溝１１４の内側プロファイル即ち内周１１２に接触しないように、溝１１４内において水平に且つ垂直に位置
決めすることができる。換言すると、レンズ１０２は、レンズ１０２の外側プロファイル即ち外周１１０のどの部分も溝１１４の内側プロファイル即ち内周１１２に接触しないように、溝１１４内において前後方向、上下方向、及び内外方向に位置決めすることができる。
【００６５】
レンズ１０２の周プロファイルと溝１１４の周プロファイルとの間のこの関係性は、図８の側面図にも例示されている。レンズ１０２と溝１１４との間の水平及び垂直な間隔は、したがって、レンズ１０２を溝１１４内において浮遊可能にすることができる。別の言い方をすると、レンズ１０２は、レンズ１０２の、周縁などの外側プロファイル即ち外周１１０と、溝１１４の、ベッド又は下面などの内側プロファイル即ち内周１１２との間のギャップ１１６ゆえに、溝１１４において浮遊することができる。
【００６６】
したがって、一部の実施形態では、ギャップ１１６の存在は、レンズがその成形時又は取り付け前の元の幾何学構造から歪まないように保証することができる。ギャップ１１６の存在は、また、たとえレンズ１０２に力が伝達される場合でも、そのような力がレンズ１０２の幾何学構造を歪ませるのに足らないことを保証することもできる。また、後述のように、一部の実施形態では、レンズの幅と溝の幅との間の差もまた、レンズ１０２に力が伝達されないことを保証することができる。
【００６７】
したがって、メガネは、レンズが概して水平方向に及び／又は垂直方向に及びそれらを組み合わせた方向に浮遊可能であるように構成することができる。図７において多方向矢印１２０によって記されるように、浮遊レンズ１０２は、フレーム１０４に相対的に任意の様々な方向に動くことができる。図８も、レンズ１０２が上下方向１２２又は内外方向１２４に動けることを例示している。やはり本明細書に記されるように、レンズ１０２は、前後方向にも動くことができる。
【００６８】
一部の実施形態では、レンズは平面レンズであってよく、尚且つ平面内をスライドできる又は動けると考えられる。それでもなお、その他の実施形態では、レンズは、円柱、トロイダル、球面などの任意の様々な形状に構成することができる。メガネは、レンズの表面によって定められる表面に沿ってなどのように三次元内でレンズがスライドできる又は動けるように構成することができる。メガネは、また、溝の１つ又は複数の湾曲及び周によって定められる三次元表面に沿ってスライドできる又は動けるように構成することもできる。
【００６９】
「浮遊」レンズは、更に、レンズの幅と溝の幅との間の差を指すことができる。溝は、図８において矢印１２６によって例示される前後方向へのレンズの大幅な動きを阻止するように構成することができる。しかしながら、内外方向又は上下方向へのレンズの大幅な動きを阻止するために、構成要素を溝と併せて機能させることもできると考えられる。
【００７０】
例えば、本明細書で更に論じられるように、溝の一部が前方向への動きを制限する一方で、別の構成要素が後方向への動きを制限することができる。レンズの「大幅な動き」は、レンズをレンズサポートから離れさせる又は脱落させると考えられる任意の動きとして定義することができる。しかしながら、レンズは、溝内に捕えられたまま、上方向に浮遊してレンズの下縁を溝から出させることがあり、逆もまた然りである。同様に、レンズは、内側方向に浮遊して、レンズの外側の縁を溝から出させることがある。それでもなお、このようなシナリオでは、レンズは、溝によって尚も保持されたままであり、レンズサポートから離れる又は脱落することはない。実際、レンズがレンズサポート又はリムから完全に脱落するように溝を構成することは、望ましくないと考えられる。
【００７１】
図８に示されるように、レンズ１０２の上部１３０及び下部１３２は、フレーム１０４
の溝１１４内に受けられる。例示される実施形態では、レンズ１０２は、後述されるように且つ図９に示されるように、レンズ１０２の幅１４０と溝１１４の幅１４２との間の差と、溝１１４の前方又は後方の保持プロファイルをレンズプロファイルが超えることとに基づいて、前後方向１２６に概して抑制することができる。レンズ１０２の幅１４０は、少なくとも僅少の前後の動きを提供してレンズ１０２を溝１１４内に浮遊可能にするために、溝１１４の幅１４２よりも小さくあることができる。この僅少の前後の動きは、フレーム１０４からレンズ１０２へ圧縮力が伝達されないことを保証することができる。更に、溝内において位置決めされた後、浮遊レンズは、前後方向に概して抑制される一方で、溝内において内外及び／又は上下の任意の組み合わせの方向にスライドすることができる。実際、浮遊は、レンズを幾何学的に歪ませないままで、レンズを全ての方向にある程度抑制することを可能にする。
【００７２】
図９を参照すると、ベッド又は下面と称することができる、溝１１４の内側プロファイル即ち内周１１２は、溝１１４の前方バンク１５０及び後方バンク１５２を概して横断する形で伸びる。前方バンク１５０は、第１の又は前方の保持プロファイル１５４を定めることができる。後方バンク１５２は、第２の又は後方の保持プロファイル１５６を定めることができる。前方バンク１５０及び後方バンク１５２は、レンズサポート１０６の周沿いに伸びることができる。第１の又は前方の保持プロファイル１５４は、第２の又は後方の保持プロファイル１５６と等しい又は異なることができる。
【００７３】
溝１１４の前方バンク１５０及び後方バンク１５２は、レンズ１０２を前後方向に保持する働きをすることができる。換言すると、レンズ１０２は、溝１１４に保持することができ、前方保持プロファイル１５４及び後方保持プロファイル１５６は、レンズ１０２の外側プロファイル又は外周１１０未満である。レンズ１０２の外側プロファイル又は外周１１０は、もし前方保持プロファイル１５４又は後方保持プロファイル１５６がレンズ１０２を通らせるのに小さすぎる場合に、その所定の前方保持プロファイル１５４又は後方保持プロファイル１５６未満であると見なすことができる。換言すると、溝１１４のベッド又は下面の浮遊プロファイル１１２は、対応するレンズ１０２のプロファイル１１０を超えることができる。更に、対応するレンズ１０２のプロファイル１１０は、レンズが溝１１４内を溝１１４から離脱することなく動くことを許容されるように、溝１１４のバンク１５０、１５２の保持プロファイル１５４、１５６未満であることができる。
【００７４】
溝１１４は、一定の深さを定めることができる。しかしながら、溝１１４は、可変の深さを定めることもできると考えられる。このような実施形態では、溝１１４の前方バンク１５０及び後方バンク１５２の構成は、様々に変更することができる。このようなヴァリエーションは、メガネに使用される材料の量を減らすため及び望ましい機械的性質を保証するために発生することができる。
【００７５】
一部の実施形態では、前方保持プロファイル１５４及び後方保持プロファイル１５６は、同一であることができる。単純な一例として、もしメガネが単純な平面円形レンズを使用した場合は、前方保持プロファイル及び後方保持プロファイルは、ともに、等しい直径を有する円であることができる。それにもなお、より複雑なレンズ形状を有するメガネでは、前方保持プロファイル及び後方保持プロファイルは、メガネに対して前方又は後方に位置する所定の点から見て二次元の形状又は外形として定めることができる。このような実施形態では、前方保持プロファイル及び後方保持プロファイルは、同一である又は異なることができる。例えば、前方保持プロファイル及び後方保持プロファイルは、（例えば図７における）連続した湾曲プロファイルによって、又は（例えば図１２Ａにおける）内向きに伸びた突出を有するプロファイルによって定めることができる。
【００７６】
なお、所定のプロファイルを評価するための普遍的な基準点は、問題とされる形状又は
輪郭によって定められた表面の中心点に幾何学的に垂直な線に沿って位置する点であってよいことに留意するべきである。しかしながら、人は、レンズを様々な任意の前方角又は後方角で溝から取り外そうとすることもわかっている。ゆえに、レンズプロファイルは、レンズを溝から取り外そうとする引く力又は押す力の方向の視点から、前方保持プロファイル又は後方保持プロファイルと比較することができる。
【００７７】
したがって、レンズの前方への動きを抑制するには、前方保持プロファイルは、その動きの方向に、レンズの例えば外側プロファイル即ち外周に重なることが望ましいとされる。同様に、レンズの後方への動きを抑制するには、後方保持プロファイルは、その動きの方向に、レンズの例えば外側プロファイル即ち外周に重なることが望ましいとされる。
【００７８】
一部の実施形態では、前方保持プロファイル１５４及び後方保持プロファイル１５６の一方が、レンズの例えば外側プロファイル又は外周に連続的に重なるように構成される（図７及び図１０を参照せよ）。しかしながら、前方保持プロファイル１５４及び後方保持プロファイル１５６の一方は、レンズに連続的に重ならないプロファイルであっても、レンズを前後方向に抑制する働きをし得る（図１１及び図１２Ａを参照せよ）。
【００７９】
図１０及び図１１は、レンズを支えるとともにレンズをメガネのフレームに相対的に浮遊可能にするために用いることができるメガネの実施形態を例示している。図１０は、レンズサポート１７４を有するフレーム１７２を含むメガネ１７０の一実施形態の部分正面図である。フレーム１７２は、ワイヤ又はノンワイヤのフレームを含むことができる。例示されるように、レンズサポート１７４は、前方部分１８０及び後方部分１８２を含むことができる。図９の断面図と同様に、前方部分１８０及び後方部分１８２は、中にレンズを受けるとともに浮遊させるように構成される凹所又は空間１８４を間に定めることができる。この実施形態では、レンズサポート１７４は、中に配されるレンズの周りを完全に取り囲むことができる。
【００８０】
レンズを凹所又は空間１８４内において浮遊させるには、前方部分１８０は、フレーム１７２と別れていることが望ましい。レンズが後方部分１８２に寄せて配されると、前方部分１８０をフレーム１７２に結合することができる。前方部分１８０は、スナップ嵌め又は摩擦嵌めの使用などを通じてフレーム１７２によって保持することができる。このようなスナップ嵌めは、図１０において要素１９０としてまとめて示される凹所及び突出の使用によって促進することができる。当業者ならばわかるように、前方部分１８０から伸びる突出は、フレーム１７２の凹所内に受けられる。したがって、前方部分１８０は、フレーム１７２に装着され、そうしてレンズを凹所又は空間１８４内に閉じ込めることができる。また、要素１９２によって示されるように、凹所が前方部分にあって突出がフレーム１７２から伸びてもよいことに留意するべきである。
【００８１】
この関連で、前方部分１８０は、着用者がメガネ１７０のレンズ又は前方部分を取り換えたいと望む場合に、フレーム１７２に選択的に装着する又はフレーム１７２から選択的に取り外すことができる。例えば、着用者は、色、素材、サイズなどの異なる様々なレンズ及び様々な前方部分を備えていることができる。この関連で、着用者は、レンズ又は前方部分を選択的に置き換えることによってメガネ１７０を自分流にすることができる。この取り換え可能性は、レンズ、前方部分、又はその他の任意の構成要素に傷がついた又はそれ以外の形で損傷された場合に特に有用であることができる。
【００８２】
図７〜９に関連して上述されたように、図１０に例示される実施形態も同様に、浮遊レンズシステムを提供することができる。前方部分１８０及び後方部分１８２は、前後方向へのレンズの動きを抑制することもできる。
【００８３】
更に、前方部分１８０は、前方部分１８０及び後方部分１８２によって定められる凹所又は空間１８４内にレンズが配された後に、フレーム１７２に永久的に固着させられるとも考えられる。例えば、前方部分１８０は、フレーム１７２に接着接合する又はその他の形でつなげることができる。このような接合プロセスは、当該分野で知られており、特にメガネ１７０がポリマ又はメタルのいずれで形成されるかなどのメガネ１７０の材料特性に基づいて選択することができる。したがって、本明細書で開示されるその他の実施形態とは対照的に、本実施形態は、もし前方部分１８０及び後方部分１８２がフレーム１７２に永久的に固着される場合は、それらをフレーム１７２に枢動可能に結合する又はヒンジ結合する必要性を省くことができる。
【００８４】
次に、図１１に言及すると、フレーム２０２及びレンズサポート２４を含むメガネ２００の一実施形態の部分正面図が例示されている。この実施形態では、レンズサポート２０４は、レンズを完全には取り囲まない（このケースではレンズの下縁に沿った）部分リムを含む。フレーム２０２は、ワイヤ又はノンワイヤのフレームを含むことができる。図１０とは対照的に、図１１に例示されるメガネ２００は、中に配されるレンズの周りを部分的にのみ取り囲むことができる。しかしながら、メガネ２００の特徴は、メガネ１７０の特徴と概して同一である。詳細には、メガネ２００は、凹所又は空間２１４を間に定める前方部分２１０及び後方部分２１２を含む。同様に上述されるように、前方部分２１０は、フレーム２０２に取り外し可能式に又は永久的に装着することができる。このような装着は、凹所２２０及び突出２２２の使用によって促進することができる。このように、図７〜９、及び前方部分１８０とフレーム１７２との間の装着に関する上記の開示内容は、ここでは繰り返されないが、前方部分２１０及びフレーム２０２にも同様に適用され、このような情報のために参照にすることができる。
【００８５】
図１０に例示される実施形態と同様に、メガネ２００によって支えられるレンズもまた、フレーム２０２に相対的に浮遊することができる。更に、注目に値すべきは、メガネ２００によって支えられるレンズは、フレーム２０２によって周りを完全には取り囲まれないが、レンズが凹所又は空間２１４から下方へ滑り落ちることができないように、フレーム２０２の外側セクション２２４及び内側セクション２２６がレンズの下部に沿って伸びて互いに近づいていることである。このように、レンズの底縁が露出されレンズが浮遊しているゆえに圧縮応力を受けずゆえに優れた光学的品質を提供するメガネを提供することができる。
【００８６】
図１２Ａ〜Ｃは、レンズ２５２、フレーム２５４、及びレンズサポート２５６を含むメガネ２５０の別の実施形態を例示している。フレーム２５４は、ワイヤ又はノンワイヤのフレームを含むことができる。レンズサポート２５６は、後方セクション２５８及び前方セクション２６０を含むことができる。前方セクション２６０は、図１２Ａに示されるように、レンズサポート２５６の周沿いに相隔てて設けられる複数の弾性タブ又はサポート部材を含むことができる。タブ又はサポート部材は、可撓性であってよく、レンズ２５２がレンズサポート２５６によって保持される（図１２Ｃに示されるような）保持ポジションと、レンズ２５２が取り外される又はレンズサポート２５６に導入される開ポジションとの間で動くことができる。
【００８７】
図１２Ｂは、レンズ２５２がフレーム２５４に相対的に浮遊可能であることを例示している。しかしながら、上述された実施形態とは対照的に、メガネ２５０は、レンズ２５２がレンズサポート２５６内に受けられその中で前方セクション２６０の弾性タブによって保持されることを可能にするように構成することができる。この関連で、前方セクション２６０のタブは、レンズ２５２がレンズサポート２５６に取り外し可能式に取り付けられることを可能にできると考えられる。ゆえに、レンズ２５２は、メガネ２５０に取り付けられて、フレーム２５４のレンズ取り付け領域若しくは溝２６４内、又はレンズサポート
２６７内のものになることができる。
【００８８】
図１３〜１８Ｃは、更に別の実施形態にしたがったメガネ又はメガネフレーム３００を様々に例示している。メガネフレームは、デュアルレンズフレームとして形成することができる。しかしながら、本明細書で論じられる特徴の多くは、ユニタリレンズの実施形態でも使用できると考えられる。後ほど更に詳しく論じられるように、メガネフレーム３００は、レンズの成形時の幾何学構造を有利に維持することができる。フレーム３００は、レンズを少なくとも部分的に受けるように構成されるレンズ取り付け領域又はレンズ溝、並びにフレーム部分及び少なくとも１つのサポート部材を含むことができる。サポート部材は、開ポジションにあるときに溝へのアクセスを提供するために及び閉ポジションにあるときにレンズを溝内において横方向に保持するために、フレーム部分に相対的に可動であることができる。閉ポジションでは、フレーム部分及びサポート部材は、レンズに変形力を作用させることなくレンズを溝内において固定する。また、一部の実施形態は、本明細書で論じられる１つ又は複数のレンズバンパ特徴を含むことができる。
【００８９】
次に、図１２〜１３に示される実施形態に言及すると、メガネフレーム３００は、フレーム部分３０２及び相対するテンプル３０４を含むことができる。フレーム部分３０２は、ワイヤ又はノンワイヤのフレームを含むことができる。また、フレーム部分３０２は、着用者の視野の経路内にそれぞれのレンズを支えるように構成される第１及び第２のレンズサポート３０６、３０８を含むことができる。第１のレンズサポート３０６は、第１の顎部又はサポート部材３１０を含むことができる。第２のレンズサポート３０８は、第２の顎部又はサポート部材３１２を含むことができる。
【００９０】
第１及び第２のサポート部材３１０、３１２は、それぞれ第１及び第２の端３１６、３１８を定めることができる。第１の端３１６は、フレーム部分３０２の一部分に装着する、同一部分とともに形成する、又は同一部分に結合することができる。一部の実施形態では、第１及び第２のサポート部材３１０、３１２、並びにフレーム部分３０２は、中にレンズを取り付けることができるレンズ取り付け領域又は溝を定めることができる。例示される実施形態では、第１及び第２のサポート部材３１０、３１２は、フレーム部分３０２に枢動可能に装着又は結合される。しかしながら、第１及び第２のサポート部材３１０、３１２は、フレーム部分３０２と一体的に形成されて、フレーム部分３０２に対して枢動する、動く、又は撓むように構成することができる。このように、第１及び第２のサポート部材３１０、３１２、並びにフレーム部分３０２は、本明細書で更に説明されるようなプロセスによって形成することができる。また、第１及び第２のサポート部材３１０、３１２の第２の端３１８は、フレーム部分３０２に相対的に動く自由端であることができる。第１及び第２のサポート部材３１０、３１２は、（例えば図１８Ａ及び図１８Ｂに示される）保持ポジションと開ポジションとの間で動くことができる。保持ポジションでは、自由端３１８は、フレーム部分３０２に相対的に固定することができる。保持ポジションは、第１及び第２のサポート部材３１０、３１２、並びにフレーム部分３０２が、着用者の視野の経路内にレンズを取り付けるためにそのレンズの周の少なくとも一部分を捕えることを可能にすることができる。この関連で、保持ポジションは、自由端３１８がフレーム部分３０２の例えばブリッジなどの一部分に装着される又は当接するときに実現することができる。
【００９１】
上記のように、第１及び第２のフレーム部材３１０、３１２は、フレーム部分３０２に枢動可能に装着することができる。例えば、メガネフレーム３００は、第１及び第２のサポート部材３１０、３１２のそれぞれがフレーム部分３０２の第１及び第２の外側端３２４、３２６に枢動可能に装着されるところである第１及び第２のジョイント３２０、３２２を含むことができる。第１及び第２のフレーム部材３１０、３１２をフレーム部分３０２の第１及び第２の外側端３２４、３２６のそれぞれに装着させるためには、ボルト又は
ネジなどの締め具３３０を使用することができる。
【００９２】
また、メガネ３００は、第１及び第２の固定部材３４０、３４２を含むことができる。一部の実施形態では、第１及び第２の固定部材３４０、３４２は、フレームの内側部分に装着することができる。しかしながら、第１及び第２の固定部材３４０、３４２は、フレームの外側部分にも装着可能であると考えられる。図１３〜１４に例示される実施形態では、第１及び第２の固定部材３４０、３４２は、フレーム部分３０２のブリッジ部分３４６の後方領域に枢動可能に装着されるものとして示される。更に、図１５、１６Ｂ、１７Ａ、及び１８Ａ〜Ｃに例示されるように、固定部材３４０、３４２は、フレームを着用者の鼻で支えるノーズピース要素として機能するように構成することができる。形、機能、及び快適さのこの巧みな取り入れは、本明細書で論じられる実施形態の多くの利点の１つを提供する。
【００９３】
一部の実施形態では、固定部材３４０、３４２は、メガネ３００と一体的に形成されて又は個別の構成要素として別々に形成されて、メガネ３００に対して枢動する、動く、又は撓むように構成することができる。後述されるように、第１及び第２の固定部材３４０、３４２は、サポート部材３１０、３１２を保持ポジションに固定してサポート部材３１０、３１２をフレームに固定するために係合ポジションと離脱ポジションとの間で枢動する、撓む、又は動くことが可能であることができる。
【００９４】
例えば、第１及び第２の固定部材３４０、３４２は、第１及び第２のジョイント３２０、３２２を中心とした第１及び第２のサポート部材３１０、３１２の回転運動を抑制又は許容するためのラッチを含むことができる。固定部材と同様に、ラッチは、メガネ３００と一体的に形成されて又は個別の構成要素として別々に形成されて、フレーム３００に対して枢動する、動く、又は撓むように構成することができる。更に、固定部材又はラッチは、第１及び第２のサポート部材３１０、３１２がフレームにスナップ嵌め又は摩擦嵌めされることを可能にするように、第１及び第２のサポート部材３１０、３１２と一体的に形成できるとも考えられる。換言すると、フレームの一部の実施形態は、別途の固定部材又はラッチを伴わないように構成することができ、第１及び第２のサポート部材は、第１及び第２のサポート部材をフレームに相対的に固定することを可能にする方式でフレームに係合するように構成することができる。
【００９５】
固定部材３４０、３４２は、サポート部材３１０、３１２の自由端３１８をフレームに相対的に固定するためにサポート部材３１０、３１２の自由端３１８に係合するように構成することができる。図１３、１４、及び１６Ｂに例示されるように、第１及び第２の固定部材３４０、３４２が係合ポジションにあるときは、第１及び第２のフレーム部材３１０、３１２のそれぞれは、適所にロックされている。この関連で、もし第１及び第２の固定部材３４０、３４２のそれぞれがその係合ポジションにある場合は、第１及び第２のレンズ取り付け領域又は溝３５０、３５２の１つの中に受けられたレンズは、そこから取り外すことができない。
【００９６】
更に、第１及び第２の固定部材３４０、３４２が係合ポジションにあるときは、第１及び第２の固定部材３４０、３４２は、着用者がメガネ３００を使用することを可能にする人間工学的で且つ快適なノーズピース要素を形成することに留意するべきである。しかしながら、もし第１及び第２の固定部材３４０、３４２が開放された即ち離脱したポジションにある場合は、ノーズピース部材は、ノーズピース要素から突出し、ゆえにメガネ３００の使用を不快にする。このように、着用者は、メガネ３００を使用する前に、第１及び第２の固定部材３４０、３４２が適切に係合ポジションにあるかどうかを素早く確認できると予想される。
【００９７】
図１３〜１５に例示されるように、フレームセクション３０２、並びに第１及び第２のフレーム部材３１０、３１２のそれぞれは、第１及び第２のレンズサポート３０６、３０８を定める。図７〜９の実施形態に関連して上述されたように、第１及び第２のレンズサポート３０６、３０８の各自は、図１５の第１及び第２のレンズ３５４、３５６によって例示されるように中にレンズを受けるように構成することができる第１及び第２の溝３５０、３５２のそれぞれを定める。したがって、図７〜９に関連した上記の議論は、ここでは繰り返されず、本実施形態にも同様に適用され、本議論に組み込まれる。これらの各実施形態では、フレームは、フレームと、サポート部材、フレーム部材、顎部、又はレンズサポートとが中にレンズを受けることができる剛性の囲いを定められるように構成することができる。剛性の囲いは、レンズに変形力を作用させることなくレンズを保持するように構成することができる。
【００９８】
次に、図１６Ａ〜Ｂに言及すると、メガネ３００の部分正面図及び部分背面図が例示されている。例示されるように、矢印３７０は、第１のジョイント３２０を中心とした第１のフレーム部材３１０の回転の方向を示している。第１のフレーム部材３１０を開放するためには、上記のように、第１の固定部材３４０を矢印３７２の方向に回転させることができる。例示されるように、固定部材３４０は、第１の固定部材３４０を係合ポジションから開放された即ち離脱したポジションへ回転可能にする枢軸３７４を含むことができる。例示されるように、固定部材（又は一部の実施形態ではラッチ）は、フレームに対して内外方向に枢動することができる。
【００９９】
図１７Ａ〜Ｂは、第２の固定部材３４２が離脱ポジションへ動かされた後、開ポジションにある第２のフレーム部材３１２を示している。図１８Ａ〜Ｃは、第１のレンズ３５４を第１のラインサポート３０６から取り外すステップを例示している。図１８Ａは、初期の保持ポジションにある第２のサポート部材３１２を例示している。図に示されるように、第１の固定部材３４０は、図１８Ａに示されるように、先ずその係合ポジションから離脱ポジションへ回転させることができる。この点について、例示される実施形態では、第１の固定部材３４０は前後方向に回転するように構成されることがわかる。また、この回転運動は、第１の固定部材３４０を第１のフレーム部材３１０の内側部分３８０に係合可能にする。
【０１００】
次に、図１８Ｂに示されるように、第１のフレーム部材３１０は、第１のジョイント３２０を中心に下向きに開ポジションへ回転されて、第１のレンズサポート３０６を開放することができる。第１のレンズサポート３０６が開放されると、第１のレンズ３５４をそこから取り外すことができる。ゆえに、このような実施形態では、レンズ３５４は、溝に嵌め込むためにレンズ３５４を曲げる又は歪めることなく取り付ける及び取り外すことが可能である。このように、メガネ３００は、そのレンズを素早く且つ容易に取り換える方法を提供する。更に、フレーム部材３１０が開ポジションにあるときは、固定部材３４０を更に上向きに回転させて、いかなる道具も使用せずにフレームから切り離す又は取り外すことができる。このような特徴は、可動なラッチノーズピースを取り入れた他の実施形態でも実装されて、ノーズピースの取り換え可能性を与えることができる。この取り換え可能性は、異なる幾何学構造の鼻を有する着用者に合わせたメガネのカスタマイズを可能にすることができる。
【０１０１】
また、図１９Ａ〜Ｂは、フレーム部分４０２と、レンズサポート４０４と、フレーム部分４０２に枢動可能に結合される顎部又はサポート部材４０６とを含む、別の実施形態のメガネ４００の部分背面図を提供する。フレーム部分４０２は、ワイヤ又はノンワイヤのフレームを含むことができる。したがって、図７〜９に関連した上記の議論は、ここでは繰り返されず、本実施形態にも同様に適用され、本議論に組み込まれる。図１８Ａ〜Ｂに例示される実施形態とは対照的に、メガネ４００は、矢印４１２によって例示されるよう
に内外方向に回転するノーズピース部材４１０を含む。
【０１０２】
図１９Ｂに例示されるように、ノーズピース部材４１０は、相対するノーズピース部材に向かって又はノーズピース領域に向かって内向きに回転することができる。したがって、図１９Ａに示されるような係合ポジションに入ると、ノーズピース部材４１０の内側セクション４２０は、フレーム部材４０６の内側端４２２に係合することができ、メガネ４００のテンプルに向かって内外方向に圧迫される。この関連で、本実施形態の利点は、メガネ４００の通常使用によって、使用時にノーズピース部材が係合ポジションにあることを保証しやすいことにある。
【０１０３】
図２０Ａ〜Ｃは、フレーム部分４５２と、レンズサポート４５４と、フレーム部分４５２に枢動可能に装着される顎部又はサポート部材４５６とを含む、更に別の実施形態のメガネ４５０の部分背面図を提供する。フレーム部分４５２は、ワイヤフレーム又はノンワイヤフレームを含むことができる。したがって、図７〜９に関連した上記の議論は、ここでは繰り返されず、本実施形態にも同様に適用され、本議論に組み込まれる。しかしながら、図１８Ａ〜１９Ｂに例示される実施形態とは対照的に、フレーム部材４５６は、フレーム部分４５２のノーズピースセクション４６０に隣接して配されるジョイント４５８を中心に回転する。
【０１０４】
図２０Ｂ〜Ｃに示されるように、フレーム部材４５６がジョイント４５８を中心に自由に回転することを可能にするために、固定部材４６２は、離脱ポジションへ回転させることができる。固定部材４６２は、一部の実施形態ではラッチであることができる。例示されるような回転の方向は、着用者によるレンズの素早い取り外しを容易にすることができる。更に、フレーム部材４５６は、着用者の鼻に対して付勢され、ゆえに開放を妨げられるので、固定部材４６２の不測の離脱が、使用時にレンズサポート４５４を開放させる事態は発生しにくい。
【０１０５】
次に図２１Ａ〜Ｃに言及すると、レンズを浮遊させるための更に別の実施形態のメガネフレームが提供される。図２１Ａは、フレーム部分５０２と、ノーズピースセクション５０４と、第１及び第２のレンズサポート５０６、５０８とを含むメガネフレーム５００の斜視図である。フレーム５０２は、ワイヤ又はノンワイヤのフレームを含むことができる。第１及び第２のレンズサポート５０６、５０８は、フレーム部分５０２の第１及び第２の外側端５２０、５２２のそれぞれに枢動可能に装着される第１及び第２の前方部分５１０、５１２のそれぞれを含むように独自に構成される。
【０１０６】
この関連で、第１及び第２の前方部分５１０、５１２は、滑らかな曲線をなすメガネを提供するために、図２１Ａに示されるように、フレーム部分５０２と入れ子を形成することができる。しかしながら、これらの第１及び第２の前方部分５１０、５１２は、ノーズピースセクション５０４の固定部材５３０を先ず持ち上げる、即ち上向きに回転させることによって、フレーム部分５０２から別れさせることができる。固定部材５３０が、図２１Ｂに示されるように、係合ポジションから離脱ポジションへ動かされると、第１及び第２の前方部分５１０、５１２は、第１及び第２の外側端５２０、５２２のそれぞれを中心に回転されて、第１及び第２のレンズサポート５０６、５０８のそれぞれを開放することができる。一部の実施形態では、第１及び第２の前方部分５１０、５１２、並びに／又は固定部材５３０は、フレーム部分５０２と一体的に形成されて、フレーム部分５０２に対して枢動する、動く、又は撓むように構成することができる。このような一体的な実施形態は、本明細書で開示されるその他の一体的な実施形態と同様であり、ゆえに簡潔さを期するために、ここでは更なる詳細は繰り返されない。
【０１０７】
図２１Ｂに示されるように、第１及び第２の前方部分５１０、５１２が開ポジションへ
動かされると、第１及び第２の凹所又は空間５３２、５３４は、それによって露出される。第１及び第２の凹所又は空間５３２、５３４は、第１及び第２のレンズサポート５０６、５０８のそれぞれの周沿いに伸びる。図には示されていないが、レンズは、第１及び第２の凹所又は空間５３２、５３４に挿入することができる。本明細書で論じられるその他の実施形態と同様に、圧縮応力を軽減させるため及び／又は排除するため、並びに優れた光学性能を保証するために、第１及び第２の凹所又は空間５３２、５３４に挿入されるレンズは、その中で浮遊させることができる。したがって、図７〜９に関連した上記の議論は、ここでは繰り返されず、本実施形態にも同様に適用され、本議論に組み込まれる。
【０１０８】
第１及び第２の前方部分５１０、５１２は、メガネフレーム５００の前方へ開放されるように有利に構成することができる。この関連で、メガネフレーム５００の第１及び第２の後方部分５４０、５４２は、衝撃に対する保護を提供することができる。換言すると、フレーム部分５０２は、第１及び第２の後方部分５４０、５４２と一体的に形成できるので、いずれのレンズに対する鈍的衝撃も、メガネフレーム５００に対してほとんど影響を及ぼさない。
【０１０９】
ノーズピースセクション５０４の固定部材５３０は、図２１Ｃに示されるように、フレーム部分５０２の第１及び第２の内側点５５０、５５２に枢動可能に装着することができる。例えば、固定部材５３０は、ラッチとして構成することができる。固定部材５３０は、閉ポジションにある第１及び第２の前方部分５１０、５１２の内側セクションの少なくとも一部分を捕えて固定するように構成することができる。更に、図２１Ｂに示されるように、固定部材５３０は、使用時に固定部材５３０を閉ポジションに固定するためにノーズピースセクション５０４内の対応凹所５５６に適合する突出５５４を含むことができる。
【０１１０】
次に図２２Ａ〜Ｃに言及すると、レンズを浮遊させるための別の実施形態のメガネフレームが提供される。図２２Ａは、フレーム部分６０２と、ノーズピースセクション６０４と、第１及び第２のレンズサポート６０６、６０８とを含むメガネフレーム６００の斜視図である。フレーム部分６０２は、ワイヤ又はノンワイヤのフレームを含むことができる。第１及び第２のレンズサポート６０６、６０８は、第１及び第２の内側端６２０、６２２のそれぞれにおいてフレーム部分６０２のノーズピースセクション６０４に枢動可能に装着される第１及び第２の前方部分６１０、６１２のそれぞれを含むように独自に構成される。例示される実施形態では、第１及び第２の前方部分６１０、６１２は、メガネフレーム６００の内側領域に装着できるが、その他の実施形態では、前方部分６１０、６１２は、フレーム６００の上側領域、下側領域、又は外側領域に枢動可能に装着できると考えられる。更に、メガネフレーム６００は、第１及び第２のテンプル６１４、６１６と、第１及び第２の固定部材６１８、６１９とを含むことができる。固定部材６１８、６１９は、ラッチとして構成することができる。一部の実施形態では、第１及び第２の前方部分６１０、６１２及び／又は固定部材６１８、６１９は、フレーム部分６０２と一体的に形成されて、フレーム部分６０２に対して枢動する、動く、又は撓むように構成することができる。このような一体的な実施形態は、本明細書で開示されるその他の一体的な実施形態と同様であり、ゆえに簡潔さを期するために、ここでは更なる詳細は繰り返されない。
【０１１１】
第１及び第２の前方部分６１０、６１２は、滑らかな曲線をなすメガネを提供するために、図２２Ａに示されるように、フレーム部分６０２と入れ子を形成することができる。しかしながら、これらの第１及び第２の前方部分６１０、６１２は、先ず第１及び第２のテンプル６１４、６１６を折り畳みポジションに向かって動かし、次いで第１及び第２の固定部材６１８、６１９をそれらの垂直軸を中心に回転させて第１及び第２の前方部分６１０、６１２の外側端を解放することによって、フレーム部分６０２から別れさせることができる。
【０１１２】
第１及び第２の固定部材６１８、６１９が、図２２Ｂに示されるように係合ポジションから離脱ポジションへ動かされると、第１及び第２の前方部分６１０、６１２は、第１及び第２の内側端６２０、６２２のそれぞれを中心に回転されて、第１及び第２のレンズサポート６０６、６０８のそれぞれを開放することができる。
【０１１３】
図２２Ｂに示されるように、第１及び第２の前方部分６１０、６１２が開ポジションへ動かされると、第１及び第２の凹所又は空間６３２、６３４は、それによって露出される。第１及び第２の凹所又は空間６３２、６３４は、第１及び第２のレンズサポート６０６、６０８それぞれの周沿いに伸びる。図には示されていないが、レンズは、第１及び第２の凹所又は空間６３２、６３４に挿入することができる。本明細書で論じられるその他の実施形態と同様に、圧縮応力を軽減させるため及び／又は排除するため、並びに優れた光学性能を保証するために、第１及び第２の凹所又は空間６３２、６３４に挿入されるレンズは、その中で浮遊させることができる。したがって、図７〜９に関連した上記の議論は、ここでは繰り返されず、本実施形態にも同様に適用され、本議論に組み込まれる。
【０１１４】
第１及び第２の前方部分６１０、６１２は、メガネフレーム６００の前方へ開放されるように有利に構成することができる。この関連で、メガネフレーム６００の第１及び第２の後方部分６４０、６４２は、したがって、衝撃に対する保護を提供するためのものである。換言すると、フレーム部分６０２は、第１及び第２の後方部分６４０、６４２と一体的に形成できるので、いずれのレンズに対する鈍的衝撃も、メガネフレーム６００に対してほとんど影響を及ぼさない。
【０１１５】
第１及び第２の固定部材６１８、６１９は、図２２Ａ〜Ｃに示されるように、ヒンジ部分６５０、６５２に隣接してメガネ６００に枢動可能に装着することができる。この関連で、第１及び第２の固定部材６１８、６１９は、第１及び第２のテンプル６１４、６１６のそれぞれと同じ枢支点を中心に枢動できると考えられる。第１及び第２の固定部材６１８、６１９は、開ポジションにある第１及び第２の前方部分６１０、６１２の外側セクションの少なくとも一部分を捕えて固定するように構成することができる。
【０１１６】
図１３〜２２Ｃに例示される実施形態は、また、それぞれのサポート部材及びフレーム部分の内周に沿って形成される第１及び第２のレンズ取り付け領域又は溝も提供することができる。上記に詳述されたのと同様に、第１及び第２の溝は、相対するバンクと、それらの相対するバンクの中間に配されるベッドとを定めることができる。ベッドは、浮遊プロファイルを定めることができ、相対するバンクの各自は、それぞれの保持プロファイルを定めることができる。ベッドの浮遊プロファイルは、対応するレンズのプロファイルを超えることができ、対応するレンズのプロファイルは、第１及び第２のレンズが第１及び第２の溝のそれぞれから離脱することなくそれらの溝内を動くことを許容されるように、溝のバンクの保持プロファイル未満であることができる。
【０１１７】
次に、図２３に言及すると、更に別の実施形態のメガネフレーム７００の部分正面図が例示されている。図に示されるように、メガネフレーム７００は、フレーム部分７０２と、フレーム部分７０２のレンズ取り付け領域又は溝７０８内にレンズを支えるように構成される前方部分７０４及び後方部分７０６とを含むことができる。フレーム部分７０２は、ワイヤ又はノンワイヤのフレームを含むことができる。図７〜９に関連して上述されたように、溝７０８は、中にレンズを浮遊させるように構成することができる。したがって、このような特徴についての上記の議論は、本実施形態にも同様に適用することができ、ここでは繰り返されないが、上記のテキストは、フレーム７００に関する更なる情報のために参照にすることができる。
【０１１８】
上述の実施形態とは対照的に、図２３に示されるメガネフレーム７００は、フレーム７００の外側部分７１２に沿って微小ギャップ７１０を含む。微小ギャップ７１０は、レンズの取り換えのためにレンズサポート７０２が開いたり閉じたりすることを可能にするリビングヒンジを形成することができる。この関連で、微小ギャップ７１０は、レンズサポート７０２の上部と下部との間の割れ目であってよいと考えられる。また、少なくともレンズサポート７０２は、閉ポジションにあるときに微小ギャップ７１０が可能な限り細く維持されることを保証しつつ装填の繰り返しを可能するような弾性材料で作成できると考えられる。
【０１１９】
図２４Ａ〜Ｂに例示されるような、その他の実施形態では、フレーム部分７５２とサポート部材７５４とを有するメガネフレーム７５０を含むメガネを提供することができる。フレーム７５０は、フレーム部分７５０とサポート部材７５４とが互いに一体的に又は連続的に形成され、尚且つサポート部材７５４がフレーム部分７５２に対して枢動する、動く、又は撓むことができるように、構成することができる。以下で更に詳しく論じられるように、メガネフレーム７５０は、レンズの成形時の幾何学構造を有利に維持することができる。フレーム部分７５２及びサポート部材７５４に加えて、フレーム７５０は、レンズを少なくとも部分的に受けるように構成されるレンズ取り付け領域又はレンズ溝を含むことができる。サポート部材７５４は、開ポジションにあるときに溝へのアクセスを提供するために及び閉ポジションにあるときにレンズを溝内において横方向に保持するために、フレーム部分７５２に相対的に可動であることができる。閉ポジションでは、フレーム部分７５２及びサポート部材７５４は、レンズに変形力を作用させることなくレンズを溝内において固定することができる。また、一部の実施形態は、本明細書で論じられる１つ又は複数のレンズバンパ特徴を含むことができる。
【０１２０】
例示される図２４Ａ〜Ｂの実施形態では、フレーム部分７５２をフレーム７５０に相対的に固定であると見なせる一方で、サポート部材７５４をフレーム７５０に相対的に可動であると見なせる。この関連で、このような実施形態は、フレーム部分７５２及びサポート部材７５４の屈曲又は開放を可能にしてフレーム７５０内のレンズを取り換えるために、２つの別々の構成要素間にジョイント又はヒンジは形成されておらず、その代わり、サポート部材７５４は、フレーム部分７５２に相対的に下向きに撓むことによって、フレーム７５０内におけるレンズの取り外し及び／又は交換を可能にすることができる。一部の実施形態では、メガネフレーム７５０は、射出成形、コモールド、又は同様の他のプロセスなどによって、一体的に形成することができる。
【０１２１】
このような一実施形態では、サポート部材７５４は、フレーム７５０に枢動可能に装着又は結合されて、保持ポジションと開ポジションとの間で動くように構成することができる。このように、サポート部材７５４は、レンズの周の少なくとも一部分を捕えてレンズを着用者の視野の経路内に取り付けるために保持ポジションへ可動であることができる。例えば、フレーム部分７５２及びサポート部材７５４は、メガネ７５０の可動ジョイント又は「リビング」ジョイント又は撓みゾーン７５６において、互いに相対的に動くことができる。撓みゾーン７５６は、サポート部材７５４の任意の部分に沿って位置することができる。例えば、撓みゾーン７５６は、サポート部材７５４の可撓性部分を含むことができる。サポート部材７５４は、一部若しくは全部が剛性である、又は一部若しくは全部が可撓性であることができる。一部の実施形態では、撓みゾーン７５６は、フレーム部分７５２とサポート部材７５４との間に位置決めする、又はその間のジョイントに架かることができる。
【０１２２】
更に、可動ジョイント又は「リビング」ジョイントは、サポート部材７５４の自由端７５８がフレーム部分７５２のブリッジ部分７６０に向かうように又は同ブリッジ部分７６０から離れるように撓むことを可能にするために、サポート部材７５４とフレーム部分７
５２との間の撓みゾーン７５６内に形成できると考えられる。ジョイントは、フレーム部分７５２から下側のサポート部材又は顎部７５４にかけての寸法的変化を通じてメガネフレーム７５０の撓みゾーン７５６内に形成することができる。
【０１２３】
例えば、フレームは、所定の一寸法で先細る一方で第２の寸法で増大することができる。このようにして、メガネのこのような実施形態は、素早く且つ便利に形成することができる。更に、サポート部材７５４の可撓性は、射出成形又はコモールドによって複数のパーツを一体的な連続的フレームに形成した結果として生じるなど、フレーム７５０内における材料の差の結果として生じることもできる。例えば、フレーム７５０が部分ごとに明確に異なる強度特性を呈することを可能にしつつフレームが一体的又は連続的であることを可能にするために、可撓性材料をより剛性の材料とともに射出成形又はコモールドすることができる。このような実施形態は、パーツの数を有利に減らすとともに使用者による操作を容易にすることもできる。これらの原理は、本明細書で論じられる任意の一体的な実施形態に適用することができる。
【０１２４】
例示される図２４Ａ〜Ｂの実施形態では、メガネフレーム７５０に挿入される又はメガネフレーム７５０から取り外されるレンズを通らせる十分な隙間を可能にするために、サポート部材７５４をフレーム部分７５２から離れるように撓ませることができる。例示されるように、デュアルレンズ実施形態のメガネでは、メガネの各側のサポート部材７５４は、そのフレーム部分７５２と一体的に形成されて、フレーム部分７５２に対して枢動する、動く、又は撓むように構成することができる。ゆえに、サポート部材７５４は、フレーム７５０のブリッジ部分７６０に相対的に動かすことができる自由端７５８を更に定めることができる。更に、サポート部材は、図１３〜２２Ｃに例示される実施形態に示されるような、メガネフレームの様々な任意の部分を含むことができると考えられる。
【０１２５】
本明細書で開示されるその他の実施形態と同様に、フレーム７５０は、１つ又は複数の固定部材７６２を更に含むことができる。固定部材７６２は、サポート部材７５４の自由端７５８に係合するように構成することができる。図１３〜１８Ｃ（その開示内容はここに組み込まれ、簡潔さを期するため繰り返されない）を参照にして上述された実施形態と同様に、固定部材７６２は、ラッチ又はノーズピース部材を含むことができる。更に、一部の実施形態では、１つ又は複数の固定部材７６２は、図２４Ａ〜Ｂに示されるように、自由端７５８を閉ポジションに固定するためにブリッジ部分７６０に枢動可能に装着することができる。本明細書で開示されるその他のラッチメカニズムも、サポート部材７５４を閉ポジションに固定するために使用することができる。
【０１２６】
例えば、図１３〜１８Ｃに関連して上述されたように、サポート部材７５４は、サポート部材がフレーム部分に係合できるようにサポート部材と一体的に形成される固定部材を含むことができる。このように、サポート部材７５４のこのような実施形態は、フレーム部分に相対的に固定ポジション及び／又は保持ポジションを実現することができる。これは、スナップ嵌め又は摩擦嵌めを含むことができる。上記の議論は、これらの実施形態に関連してここに組み込まれ、簡潔さを期するため繰り返されない。
【０１２７】
更に、一部の実施形態では、固定部材７６２も、メガネと一体的に形成されて、フレーム７５０に対して枢動する、動く、又は撓むように構成することができる。例えば、固定部材７６２は、フレーム７５０のブリッジ部分７６０と一体的に形成することができる。固定部材７６２を撓ませてそれに対してサポート部材７５４を離脱させる又は係合させることを可能にする材料で固定部材７６２が形成される、一実施形態を提供することができる。別の実施形態では、固定部材を撓ませてそれに対してサポート部材を離脱させる又は係合させることを可能にするために、固定部材とフレームとの間の接合部に可動ジョイントを形成することができる。本明細書で開示されるその他の固定メカニズムも、サポート
部材７５４を閉ポジションに固定するために使用することができる。更に、固定部材７６２は、図１３〜２２Ｃに例示される実施形態に示されるような、メガネフレームの様々な任意の領域に形成できると考えられる。
【０１２８】
上記のように、レンズの取り換えを可能にするためにサポート部材７５４の自由端７６０がフレーム部分７５２のブリッジ部分７６０から離れたり同ブリッジ部分７６０に向かったりできるようにサポート部材７５４が撓むことを可能にする１つ又は複数の材料でサポート部材７５４を形成することができる実施形態が提供される。このような材料は、弾性プラスチック、複合材料、メタル、及び所望の構造特性を維持しつつ装填の繰り返しを支えることができるその他の材料を含むことができる。また、メガネフレーム７５０を形成するにあたり、材料を組み合わせて使用することもできる。
【０１２９】
例えば、フレーム部分７５２を形成するために第１の材料を使用し、撓みゾーン７５６及び／又はサポート部材７５４を形成するために第１の材料と異なる第２の材料を使用することができる。特に、最適な構造特性を提供するために、１つ又は複数の材料又は構成要素をコモールドしてメガネを形成することができる。換言すると、一部の実施形態は、所望の構造特性を提供するために別途の構成要素をコモールドして撓みゾーン７５６を形成する一方で、メガネフレーム７５０の残りの部分を形成するためにこれらの構成要素の周りに材料をコモールドしてその他の所望の構造特性を得ることができる。これらの原理は、本明細書で開示される任意の一体的実施形態に適用することができる。このような実施形態は、複数の材料又は構成要素の使用にかかわらず、一体的に又は連続的に形成されると見なされる。例えば、複数の材料又は構成要素が使用されていても、これらの材料又は構成要素は、恐らくはそれらの部分を互いに相対的に撓ませたり動かしたりはできるものの、使用時に互いから切り離す又は別れさせることができる別々のパーツではない。
【０１３０】
図２４Ａ〜Ｂに例示される実施形態は、それぞれのサポート部材７５４及びフレーム部分７５２の内周に沿って形成される第１及び第２のレンズ取り付け領域又は溝７７０、７７２も提供することができる。上記に詳述されたのと同様に、第１及び第２の溝７７０、７７２は、相対するバンクと、それらの相対するバンクの中間に配されるベッドとを定めることができる。ベッドは、浮遊プロファイルを定めることができ、相対するバンクの各自は、それぞれの保持プロファイルを定めることができる。ベッドの浮遊プロファイルは、対応するレンズのプロファイルを超えることができ、対応するレンズのプロファイルは、第１及び第２のレンズが第１及び第２の溝７７０、７７２のそれぞれから離脱することなくそれらの溝内を動くことを許容されるように、第１及び第２の溝７７０、７７２のバンクの保持プロファイル未満であることができる。
【０１３１】
図２５〜２８は、本発明の別の実施形態を例示している。図２５は、フレーム８０２と、第１及び第２のレンズサポート８０４、８０６とを有するメガネ８００の部分斜視図である。フレーム８０２は、ワイヤ又はノンワイヤのフレームを含むことができる。図２６は、図２５に例示されるメガネ８００の断面図である。図２６に示されるように、レンズ８０８は、第１のレンズサポート８０４のレンズ取り付け領域又は溝８１０内において浮遊することを可能にされる。したがって、種々の他の実施形態、及び特に図７〜９に関連して上述されるように、本実施形態は、浮遊レンズに関連する種々の特徴を取り入れることができる。このように、上記の議論は、ここでは再現されないが、本実施形態に関する更なる情報のために参照にすることができる。
【０１３２】
図２６は、溝８１０内に配されるレンズバンパ８２０も例示している。本明細書で論じられるように、本明細書で開示される任意の実施形態のメガネフレームに、１つ又は複数のレンズバンパを取り入れることができる。実際、本明細書で開示される任意のメガネフレームに、公差緩衝システムを提供することができる。このようなシステムは、レンズ溝
内において選択的に配置及び交換するための複数のレンズバンパを含むことができる。したがって、着用者は、フレームに取り付けられたレンズがフレームに相対的に光学的に望ましいポジションに方向付けられることを保証するために、レンズバンパの公差緩衝システムを使用することができる。この特徴は、着用者によるメガネの更なるカスタマイズを可能にするゆえに、特に有利であることができる（メガネのカスタマイズは、着用者の活動に応じてメガネを最適化するためにレンズを取り換えることを含むことができる）。
【０１３３】
図２７は、図２５を図２６のセクション２７−２７に沿って見た拡大断面図である。図２７は、メガネ８００の第１のレンズサポート８０４の溝８１０内に配されるレンズバンパ８２０を例示している。この実施形態にしたがうと、レンズ８０８は浮遊することができるので、レンズバンパ８２０は、レンズ８０８と溝８１０との間のあらゆる公差の不一致を補償するためにメガネ８００において使用することができる。
【０１３４】
例えば、レンズバンパ８２０は、メガネ８００が所定の公差要求を満たすかどうかに応じて選択的にメガネ８００に含ませる又はメガネ８００から排除することができる。図２８は、レンズバンパ８２０の典型的実施形態を例示している。図に示されるように、レンズバンパ８２０は、図２８に例示される第２のレンズサポート８０６のような、レンズサポートのレンズ取り付け領域又は溝８１０内に素早く位置決め可能な細長い部材を含むことができる。更に、レンズバンパ８２０は、レンズサポートの溝の上部又は下部に沿って位置決め可能である。もし必要であれば、レンズバンパは、一部の実施形態において、製造公差の不正確さを補償するために使用することができる。更に、レンズバンパは、レンズとメガネとの間により厳密な方向性を提供するために使用することもできる。特に、レンズバンパは、レンズの光軸を着用者の真っ直ぐな視線とより良く一致させるために、及びレンズをフレームに相対的に所定の方向性に維持するために使用することができる。
【０１３５】
また、レンズバンパ８２０は、フレーム８０２に相対的なレンズ８０８の過剰な動きを阻止するために使用することができる。レンズバンパ８２０は、レンズ８０８の縁を保護することができる。更に、レンズバンパは、フレームの溝内におけるレンズのがたつき又は振動を抑えるために使用することができる。
【０１３６】
図２９〜３１Ｄは、１つ又は複数のレンズバンパを含むレンズサポートの種々の実施形態を提供する。以下の議論及び添付の図面は、例示的なものに過ぎず、当業者ならば、本明細書の開示内容に基づいてこれらの教示内容を容易に変更することができる。
【０１３７】
図２９は、レンズ取り付け領域又は溝８４２と、該溝８４２内に配される少なくとも１つのレンズバンパ要素８４４とを含むレンズサポート８４０の底面斜視図である。図３０は、レンズサポート８４０の上面斜視図であり、溝８４２内に配される少なくとも１つの他のレンズバンパ要素８４６を示している。図２９〜３０に記されるように、第１及び第２のレンズバンパ要素８４４、８４６は、溝８４２の一部分に沿って伸びることができる。しかしながら、円形や細長いなど形状及びサイズの異なる種々のバンパ要素を概して溝全体に相隔てて配することができると考えられる。この関連で、レンズバンパ要素は、溝内に配されるレンズの１つ又は複数の縁に有利に接触することができる。
【０１３８】
図３１Ａ〜Ｃは、レンズサポート８５０と、考えられる様々なレンズバンパ箇所８５２とをそれぞれ例示している。例示されるように、レンズサポート８５０沿いにレンズバンパ要素を分布させることができる種々の有利な構成がある。更に、図３１Ｄは、複数の細長いレンズバンパ要素として考えられる箇所８５４を例示している。
【０１３９】
図３２Ａ〜Ｆは、メガネのレンズ取り付け領域又は溝８６２内に配されるレンズ８６０を溝の内外軸に沿って見た断面図をそれぞれ表わしている。図３２Ａは、概して三角形の
断面構成を有するレンズバンパ要素８６４を例示している。図３２Ｂは、概して円形の断面構成を有するレンズバンパ要素８６６を例示している。図３２Ｃは、エッグクレートタイプの断面構成を有するレンズバンパ要素８６８を例示している。図３２Ｄは、中空の断面構成を有するレンズバンパ要素８７０を例示している。図３２Ｅは、割れた三角形の断面構成を有するレンズバンパ要素８７２を例示している。最後に、図３２Ｆは、ひし形の断面構成を有するレンズバンパ要素８７４を例示している。
【０１４０】
図３３Ａ〜Ｂも、同様に、考えられるレンズバンパ要素の実施形態をメガネの前後軸に沿って例示している。図３３Ａは、レンズ８８４の下方においてレンズ取り付け領域又は溝８８２内に配される隣り合う複数のレンズバンパ要素８８０を例示している。更に、図３３Ｂは、レンズ８８４の下方においてレンズ取り付け領域又は溝８８２内に配される複数のレンズバンパ要素８８６を例示している。
【０１４１】
図３４Ａ〜Ｂは、レンズをメガネのレンズサポートの溝に挿入する前にレンズバンパ要素をレンズ上に直接配される代替の実施形態を例示している。例えば、図３４Ａは、１つのレンズバンパ要素９０２を概してレンズ９００の周全体に沿って配されるレンズ９００を例示している。更に、図３４Ｂは、複数の個別のレンズバンパ要素９０６をレンズ９０４の周に沿って様々な箇所に配されるレンズ９０４を例示している。
【０１４２】
また、図３５Ａ〜Ｆは、上述されたレンズバンパ要素の更なる代替的実施形態をレンズの前後軸に沿って例示している。これらの図に示されるように、それぞれのレンズバンパ要素９０８、９１０、９１２、９１４、９１６、及び９１８は、レンズ９２０の縁に結合することができる。レンズバンパ要素の断面形状は、図３２Ａ〜Ｆにおいて上述されたものと概して似ており、同じ説明は繰り返されない。これは、レンズ９２６に装着される代替的実施形態のレンズバンパ要素９２２、９２４をレンズの前後軸に沿ってそれぞれ例示している図３６Ａ〜Ｂにも当てはまる。
【０１４３】
以上の各断面形状の利点及び利益は、当業者ならば十分に理解することができ、これ以上は列挙されない。ただし、レンズバンパ要素は、上記のように、技術的公差を吸収するために主に使用することができると考えられる。
【０１４４】
次に図３７に言及すると、本発明の別の実施形態が提供される。図３７は、別の実施形態にしたがって製造されるメガネ９５０を上から図で表わしたものである。上記のように、メガネのレンズの曲げ及び歪みを阻止するために、一実施形態は、メガネの屈曲応力を受けるように構成される１つ又は複数のフレックスゾーンを有するメガネを提供する。したがって、屈曲応力は、これらのフレックスゾーンに集中し、レンズサポート又はレンズには伝わらないと考えられる。ゆえに、メガネは、メガネを通して伝達される曲げ力によるレンズの歪みを阻止し得る。
【０１４５】
特に、図３７は、アイウェアのテンプルに対して内外方向に作用する曲げ力９５２を例示している。一実施形態にしたがうと、メガネ９５０は、ブリッジフレックスゾーン９５４と、少なくとも１つのテンプルフレックスゾーン９５６とを含むことができる。更に、レンズサポート９５８は、更なる剛性及び機械的強度を有するために補強することができる。
【０１４６】
例えば、レンズサポート９５８には、サポートリブ又はインサート９６０を一体化することができると考えられる。補強リブ又はインサート９６０は、とりわけメガネ９５０と比べて高い機械的強度を示す材料からなることができる。その結果、このような補強リブ９６０を有するレンズサポート９５８は、メガネ９５０のそれ以外の構成要素よりも比較的強いと考えられる。メガネ９５０に対して曲げ力９５２が作用されると、メガネ９５０
からの反作用の力及び応力９６２が、レンズサポート９５８を除くメガネ９５０のその他の全ての部分に分布される。換言すると、例えばメガネ９５０のテンプル９６４を非応力下ポジション９６６から応力下ポジション９６８へ動かすために、テンプル９６４に対して曲げ力が作用されるときに、補強用リブ又はインサート９６０は、レンズサポート９５８の変形を阻止することができる。したがって、メガネ９５０のその他の構成要素は、恐らく、補強されたレンズサポート９５８が撓む又は変形するよりも遥かに前に撓む又は変形すると考えられる。
【０１４７】
更に、補強リブは、上に１つ又は複数のレンズバンパ要素を更に配されるように変更することができる。したがって、一実施形態では、メガネのレンズ取り付け領域又は溝内に、補強リブを配する又は取り付けることができる。このように、リブの一部の実施形態は、レンズバンパ要素を含んでよく、溝内に取り付けることができる。ゆえに、補強リブは、レンズサポートの強度を補強すること、及び深いレンズ溝に小さいレンズを受けることができるように製造公差を「吸収する」ことの、両方が可能である。
【０１４８】
別の実施形態にしたがうと、メガネは、１つ又は複数の材料を含むことができると考えられる。材料は、明確に異なってよく、したがって、明確に異なる機械的特性を有することができる。このような構成のメガネは、当該分野で既知のプロセスであるオーバーモールドを使用して形成することができる。
【０１４９】
図３８は、ブリッジ部分９７４に沿ってフレックスゾーン９７２を有するメガネ９７０を含む一実施形態を例示している。メガネ９７０は、応力下状態にあるものとして例示されている。隠れ線で示されるメガネ９７６は、何の力も受けていない平衡状態にあるメガネを表わしている。したがって、応力下のメガネ９７０（矢印によって記されるように、ブリッジにおいて外向きに曲がっている）と平衡状態のメガネ９７６との構成の比較は、応力下のメガネ９７０はそのブリッジ部分９７４において撓んでいるが、その第１及び第２のレンズサポート９７８、９８０は曲がっておらず、したがってレンズは依然として幾何学的に真であり且つ光学的に正確であることを示している。
【０１５０】
更に、図３９は、第１及び第２のテンプルセクション９９０、９９２に沿って１対のフレックスゾーン９８６、９８８を配されるメガネ９８４を含む一実施形態を例示している。隠れ線で示されるメガネ９９４は、何の力も受けていない平衡状態にあるメガネを表わしている。したがって、応力下のメガネ９８４（矢印によって記されるように、テンプル接続点において外向きに曲がっている）と平衡状態のメガネ９９４との構成の比較は、応力下のメガネ９８４は第１及び第２のテンプルセクション９９０、９９２に沿って撓んでいるが、その第１及び第２のレンズサポート９９６、９９８は曲がっておらず、したがってレンズは依然として幾何学的に真であり且つ光学的に正確であることを示している。
【０１５１】
上記のように、本明細書で論じられる各実施形態は、メガネのレンズを選択的に取り換える能力を着用者に提供することができる。本明細書で開示される実施形態の多くは、レンズ及びメガネのその他の構成要素の素早い尚且つ容易な取り換えを可能にするメガネを提供する。
【０１５２】
これらの発明は、特定の好ましい実施形態及び実施例との関連で開示されてきたが、当業者ならば、本発明が、具体的に開示されている実施形態の範囲を超えて、発明のその他の代替的実施形態及び／又は使用並びにそれらの自明の変更形態及び等価形態にまで及ぶことを理解できる。また、発明の幾つかのヴァリエーションが詳しく示され説明されてきたが、当業者には、この開示内容に基づいて、これらの発明の範囲内にあるその他の変更形態が容易に明らかになる。また、実施形態の特定の特徴及び態様の種々の組み合わせ又は小組み合わせが可能であり、それらもまた発明の範囲に入ると考えられる。開示された
実施形態の種々の特徴及び態様は、開示された発明の様々な形態を形成するために、互いに組み合わせられる又は置き換えられることが理解されるべきである。したがって、本明細書で開示される本発明の少なくとも一部の範囲は、開示された特定の上記の実施形態によって限定されるべきでないことを意図される。
【図１】
2015079275.tif 000003
【図２】
2015079275.tif 000004
【図３】
2015079275.tif 000005
【図４】
2015079275.tif 000006
【図５】
2015079275.tif 000007
【図６】
2015079275.tif 000008
【図７】
2015079275.tif 000009
【図８】
2015079275.tif 000010
【図９】
2015079275.tif 000011
【図１０】
2015079275.tif 000012
【図１１】
2015079275.tif 000013
【図１２Ａ】
2015079275.tif 000014
【図１２Ｂ】
2015079275.tif 000015
【図１２Ｃ】
2015079275.tif 000016
【図１３】
2015079275.tif 000017
【図１４】
2015079275.tif 000018
【図１５】
2015079275.tif 000019
【図１６Ａ】
2015079275.tif 000020
【図１６Ｂ】
2015079275.tif 000021
【図１７Ａ】
2015079275.tif 000022
【図１７Ｂ】
2015079275.tif 000023
【図１８Ａ】
2015079275.tif 000024
【図１８Ｂ】
2015079275.tif 000025
【図１８Ｃ】
2015079275.tif 000026
【図１９Ａ】
2015079275.tif 000027
【図１９Ｂ】
2015079275.tif 000028
【図２０Ａ】
2015079275.tif 000029
【図２０Ｂ】
2015079275.tif 000030
【図２０Ｃ】
2015079275.tif 000031
【図２１Ａ】
2015079275.tif 000032
【図２１Ｂ】
2015079275.tif 000033
【図２１Ｃ】
2015079275.tif 000034
【図２２Ａ】
2015079275.tif 000035
【図２２Ｂ】
2015079275.tif 000036
【図２２Ｃ】
2015079275.tif 000037
【図２３】
2015079275.tif 000038
【図２４Ａ】
2015079275.tif 000039
【図２４Ｂ】
2015079275.tif 000040
【図２５】
2015079275.tif 000041
【図２６】
2015079275.tif 000042
【図２７】
2015079275.tif 000043
【図２８】
2015079275.tif 000044
【図２９】
2015079275.tif 000045
【図３０】
2015079275.tif 000046
【図３１Ａ】
2015079275.tif 000047
【図３１Ｂ】
2015079275.tif 000048
【図３１Ｃ】
2015079275.tif 000049
【図３１Ｄ】
2015079275.tif 000050
【図３２Ａ】
2015079275.tif 000051
【図３２Ｂ】
2015079275.tif 000052
【図３２Ｃ】
2015079275.tif 000053
【図３２Ｄ】
2015079275.tif 000054
【図３２Ｅ】
2015079275.tif 000055
【図３２Ｆ】
2015079275.tif 000056
【図３３Ａ】
2015079275.tif 000057
【図３３Ｂ】
2015079275.tif 000058
【図３４Ａ】
2015079275.tif 000059
【図３４Ｂ】
2015079275.tif 000060
【図３５Ａ】
2015079275.tif 000061
【図３５Ｂ】
2015079275.tif 000062
【図３５Ｃ】
2015079275.tif 000063
【図３５Ｄ】
2015079275.tif 000064
【図３５Ｅ】
2015079275.tif 000065
【図３５Ｆ】
2015079275.tif 000066
【図３６Ａ】
2015079275.tif 000067
【図３６Ｂ】
2015079275.tif 000068
【図３７】
2015079275.tif 000069
【図３８】
2015079275.tif 000070
【図３９】
2015079275.tif 000071